(57)【要約】【課題】  コンテンツの視聴制限時におけるユーザビリティを向上させる。【解決手段】  ネットワーク再生システムに備わるサーバ及び再生装置の少なくとも一方の機器は、サーバ内のコンテンツに対して視聴制限を設定する視聴制限設定部を備えている。この視聴制限設定部には、複数の再生装置から少なくとも１つを選択するとともに、選択された再生装置に関連するように、サーバ内のコンテンツ群から、コンテンツ毎、所定のグループ毎のいずれかでコンテンツを選択する選択部が設けられている。さらに、視聴制限設定部には、選択部で選択されたコンテンツに対して、当該コンテンツと関連付けられた再生装置での視聴制限を設定するとともに、他の機器からのコンテンツリスト表示要求に対して非表示とする表示制限を設定する設定部とが設けられている。【選択図】図２
2007243879.tif 000002
【特許請求の範囲】
【請求項１】
コンテンツの再生データを再生する複数のオーディオ装置と、
前記再生データを記憶するとともに、当該再生データを前記複数のオーディオ装置のそれぞれに出力するサーバとを有し、
前記サーバ及び前記オーディオ装置の少なくとも一方の機器は、
前記サーバ内のコンテンツに対して視聴制限を設定する視聴制限設定部を備え、
前記視聴制限設定部は、
前記複数のオーディオ装置から少なくとも１つを選択するとともに、選択されたオーディオ装置に関連するように、前記サーバ内のコンテンツ群から、コンテンツ毎、所定のグループ毎のいずれかで前記コンテンツを選択する選択部と、
前記選択部で選択されたコンテンツに対して、当該コンテンツと関連付けられた前記オーディオ装置での視聴制限を設定するとともに、他の機器からのコンテンツリスト表示要求に対して非表示とする表示制限を設定する設定部とを備えることを特徴とするネットワークオーディオシステム。
【請求項２】
請求項１記載のネットワークオーディオシステムにおいて、
前記設定部は、前記コンテンツの視聴可能時刻を設定可能であることを特徴とするネットワークオーディオシステム。
【請求項３】
請求項１又は２記載のネットワークオーディオシステムにおいて、
前記設定部は、前記選択部で選択された前記オーディオ装置に対する視聴可能時刻を設定可能であることを特徴とするネットワークオーディオシステム。
【発明の詳細な説明】
【技術分野】
【０００１】
本発明は、ネットワークオーディオシステムに関する。
【背景技術】
【０００２】
従来、サーバに複数のオーディオ装置（以下、クライアントという。）を接続したネットワークオーディオシステムが開発されている。ネットワークオーディオシステムでは、動画、音楽、静止画などのコンテンツをサーバで管理していて、各クライアントがサーバと通信することで各コンテンツを再生できるようになっている。つまり、例えばＤＶＤや、ＣＤなどのようなコンテンツを記憶した記憶媒体を各クライアントで読み込まなくとも、様々なコンテンツを再生することができるのである。通常の場合、ネットワーク上のクライアントからは、サーバ上のコンテンツリストが閲覧可能になっている。
【０００３】
ここで、コンテンツによっては過激なシーンや教育上好ましくないシーンが盛り込まれている場合もあり、こういったコンテンツを子どもに視聴させるのは好ましくないため、近年においてはクライアント毎に視聴制限を設定することができるネットワークオーディオシステムが開発されている（例えば特許文献１、２参照）。
【０００４】
図２８は、従来のネットワークオーディオシステムにおける視聴制限設定時の制御工程を表すフローチャートである。視聴制限対象であるクライアント（対象クライアント）で視聴制限設定が実行されると、図２８に示すように、まずステップＳ３０１では、クライアントの制御部は、モニタに視聴制限設定選択画面が表示されるように、表示制御部を制御する。図２９は視聴制限設定選択画面の一例を表す説明図である。この図２９に示すように視聴制限設定選択画面Ｇには、対象クライアントを視聴制限無しとするための視聴制限無し欄ｇ１、対象クライアントに対して視聴制限を設定するための視聴制限有り欄ｇ２〜ｇ８欄、全コンテンツに対して対象クライアントの視聴制限を設定する全コンテンツ視聴制限有り欄ｇ９、暗証番号を変更するための暗証番号変更欄ｇ１０、視聴制限設定を一時解除するための一時解除欄ｇ１１が設けられている。ここで、視聴制限有り欄ｇ２〜ｇ８は、対象クライアントの視聴制限レベルを設定するものである。クライアント側で視聴制限レベルが設定されていると、その視聴レベル未満のコンテンツはクライアントで視聴できるものの、視聴レベル以上のコンテンツは視聴できなくなる。
【０００５】
図２８に示すステップＳ３０２では、制御部は操作部の上下キーに対して入力操作があるか否かを判断し、入力操作がある場合にはステップＳ３０３に移行して、入力操作がない場合にはその状態で待機する。
ステップＳ３０３では、制御部は上下キーに対する入力操作によって選択された欄ｇ１〜ｇ１１が他の欄ｇ１〜ｇ１１とは強調された表示となるように、表示制御部を制御する。
【０００６】
ステップＳ３０４では、制御部は操作部のＲＥＴＵＲＮキーに対して入力操作があるか否かを判断し、入力操作がある場合には視聴制限設定を終了し、入力操作がない場合にはステップＳ３０５に移行する。
【０００７】
ステップＳ３０５では、制御部は操作部のＳＥＴキーあるいはＥＮＴＥＲキーに対して入力操作があるか否かを判断し、入力操作がない場合にはステップＳ３０１に移行して、入力操作がない場合にはステップＳ３０６に移行する。
【０００８】
ステップＳ３０６では、制御部はＳＥＴキーあるいはＥＮＴＥＲキーの入力時に選択されていた欄が視聴制限無し欄ｇ１であったか否かを判断し、視聴制限無し欄ｇ１であった場合はステップＳ３０７に移行して、視聴制限無し欄ｇ１でなかった場合はステップＳ３０８に移行する。
【０００９】
ステップＳ３０７では、制御部は対象クライアントが視聴制限無しであることを記憶し、視聴制限設定を終了する。
【００１０】
ステップＳ３０８では、制御部はＳＥＴキーあるいはＥＮＴＥＲキーの入力時に選択されていた欄が視聴制限有り欄ｇ２〜ｇ８の何れかであったか否かを判断し、視聴制限有り欄ｇ２〜ｇ８の何れかであった場合はステップＳ３１１に移行して、視聴制限有り欄ｇ２〜ｇ８の何れかでもなかった場合はステップＳ３０９に移行する。
【００１１】
ステップＳ３０９では、制御部はＳＥＴキーあるいはＥＮＴＥＲキーの入力時に選択されていた欄が全コンテンツ視聴制限有り欄ｇ９であったか否かを判断し、全コンテンツ視聴制限有り欄ｇ９であった場合はステップＳ３１１に移行して、全コンテンツ視聴制限有り欄ｇ９でなかった場合はステップＳ３１０に移行する。
【００１２】
ステップＳ３１０では、制御部はＳＥＴキーあるいはＥＮＴＥＲキーの入力時に選択されていた欄が暗証番号変更欄ｇ１０であったか否かを判断し、暗証番号変更欄ｇ１０であった場合はステップＳ３１１に移行して、暗証番号変更欄ｇ１０でなかった場合は一時解除欄ｇ１１が選択されていたとしてステップＳ３１２に移行する。
【００１３】
ステップＳ３１１では、制御部は暗証番号設定を実行した後に視聴制限設定を終了する。
ステップＳ３１２では、制御部は対象クライアントにおける視聴制限が一時解除であることを記憶して、視聴制限設定を終了する。この視聴制限設定時においては、視聴制限解除用の暗証番号も設定される場合もある。
【特許文献１】特開平９−２１４９３５号公報
【特許文献２】特開２００３−１３１７５１号公報
【発明の開示】
【発明が解決しようとする課題】
【００１４】
しかしながら、上記のネットワークオーディオシステムであると、クライアント毎に対してのみ視聴制限が設定できるものであるために、それだけではユーザの要望に応じられるものではなかった。
さらに、サーバ内のコンテンツリストはネットワーク上のいずれのクライアントからでも閲覧可能であるために、あるクライアントで視聴制限されたコンテンツであっても、そのタイトル等がコンテンツリストによって把握することができてしまい、教育上好ましくないコンテンツがサーバ内に存在していることが把握しやすい状況であった。
【００１５】
本発明の課題は、コンテンツの視聴制限時におけるユーザビリティを向上させることである。
【課題を解決するための手段】
【００１６】
請求項１記載の発明におけるネットワークオーディオシステムは、
コンテンツの再生データを再生する複数のオーディオ装置と、
前記再生データを記憶するとともに、当該再生データを前記複数のオーディオ装置のそれぞれに出力するサーバとを有し、
前記サーバ及び前記オーディオ装置の少なくとも一方の機器は、
前記サーバ内のコンテンツに対して視聴制限を設定する視聴制限設定部を備え、
前記視聴制限設定部は、
前記複数のオーディオ装置から少なくとも１つを選択するとともに、選択されたオーディオ装置に関連するように、前記サーバ内のコンテンツ群から、コンテンツ毎、所定のグループ毎のいずれかで前記コンテンツを選択する選択部と、
前記選択部で選択されたコンテンツに対して、当該コンテンツと関連付けられた前記オーディオ装置での視聴制限を設定するとともに、他の機器からのコンテンツリスト表示要求に対して非表示とする表示制限を設定する設定部とを備えることを特徴としている。
【００１７】
請求項２記載の発明は、請求項１記載のネットワークオーディオシステムにおいて、
前記設定部は、前記コンテンツの視聴可能時刻を設定可能であることを特徴とする。
【００１８】
請求項３記載の発明は、請求項１又は２記載のネットワークオーディオシステムにおいて、
前記設定部は、前記選択部で選択された前記オーディオ装置に対する視聴可能時刻を設定可能であることを特徴としている。
【発明の効果】
【００１９】
本発明によれば、選択されたコンテンツに対して、当該コンテンツと関連付けられたオーディオ装置での視聴制限が設定されるだけでなく、表示制限が設定されるので、他の機器でサーバ内のコンテンツリストを視聴したとしても視聴制限が設定されたコンテンツは表示されないようにすることができる。これにより、視聴制限が設定されたコンテンツの秘密保持性を確保することができる。
そして、複数のオーディオ装置から少なくとも１つ選択されると、選択されたオーディオ装置に関連するように、サーバ内のコンテンツ群から、コンテンツ毎、所定のグループ毎のいずれかでコンテンツが選択されるので、所定のグループ毎に視聴制限を設定することも可能となる。
これらのことにより、コンテンツの視聴制限時におけるユーザビリティを向上させることができる。
【００２０】
また、視聴制限設定時には、コンテンツの視聴可能時刻や、選択部で選択されたオーディオ装置に対する視聴可能時刻をも設定可能であるので、視聴制限のバリエーションを増やすことができる。
【発明を実施するための最良の形態】
【００２１】
以下、図面を参照しつつ、本発明に係る実施形態について説明する。図１は、本実施形態のネットワークオーディオシステム１を示す説明図である。図１に示すように、ネットワークオーディオシステム１には、コンテンツの再生データを再生する複数のオーディオ装置２と、再生データを記憶するとともに、当該再生データを複数のオーディオ装置２のそれぞれに出力するサーバＳと、サーバＳから出力された再生データを送り先となるオーディオ装置に割り振るルータ４とが備えられている。なお、本実施形態では、複数のオーディオ装置２のうち、一台のオーディオ装置２にはＤＶＤ再生装置３が接続されている場合について説明する。
【００２２】
図２は、オーディオ装置２の概略構成を表すブロック図である。図２に示すように、オーディオ装置２には、各種指示が入力される操作部５と、操作部５に入力された指示（コントロールデータ）をサーバＳに送信するとともに、ルータ４を介してサーバＳから入力された再生データを受信する通信部６と、通信部６で受信した再生データを復号化するデコーダ７と、デコーダ７により復号化された再生データのうち、音楽データを受信し、再生するＤＩＲ（デジタルインターフェイスレシーバ）８と、デコーダ７により復号化された再生データのうち、映像データを受信し、再生するＶＩＤＥＯ制御部９と、操作部５に対する指示に基づいてＤＩＲ８、ＶＩＤＥＯ制御部９及び通信部６を制御する制御部１０と、種々の情報を表示する表示部１１と、制御部１０の制御に基づいて表示部１１を制御する表示制御マイコン１２と、ＤＩＲ８からの出力信号に対して音声処理を施すオーディオＤＳＰ１３と、オーディオＤＳＰ１３から出力された音声信号を増幅するアンプ部１４と、アンプ部１４により増幅された音声信号を出力するスピーカ１５とが設けられている。
【００２３】
操作部５は、例えばオーディオ装置２本体に設けられた操作キーや、リモコンの操作キーなどである。操作部５に入力される各種指示には、例えば、再生指示、一時停止指示、サーバＳ内にある複数のコンテンツの再生データの一覧を表示するためのコンテンツリスト表示指示、コンテンツリスト内の再生データを選択するためのコンテンツ選択指示、暗証番号を入力するための暗証番号入力指示、視聴制限対象となるオーディオ装置を複数のオーディオ装置の中から少なくとも１つ選択するオーディオ選択指示、視聴制限対象として選択されたオーディオ装置に関連するように、サーバＳ内のコンテンツ群から、コンテンツ毎、所定のグループ毎、全コンテンツの何れかで視聴制限対象となるコンテンツを選択する視聴制限コンテンツ選択指示、視聴制限対象に対する視聴制限を設定するための視聴制限設定指示、視聴制限の設定を開始するための視聴制限設定開始指示などが挙げられる。
【００２４】
そして、操作部５の各操作キーには、例えば、再生指示用のＰＬＡＹキー、一時停止指示用のＳＴＯＰキー、コンテンツリスト表示指示用の表示キー、コンテンツ選択指示や、オーディオ選択指示、視聴制限コンテンツ選択指示、視聴制限設定指示用の上下左右キー、暗証番号入力指示用の数字キー、視聴制限設定開始指示用のＳＥＴＵＰキー、各指示確定用のＳＥＴキー、ＥＮＴＥＲキー、前の指示に戻るためのＲＥＴＵＲＮキーが設けられている。このように操作部５に対してオーディオ選択指示や視聴制限コンテンツ指示が入力可能であるので、この操作部５が本発明に係る選択部である。
【００２５】
通信部６には、ルータ４に接続される入出力端子６１と、制御部１０の制御に基づいて入出力端子６１により各種データ（コントロールデータや、再生データ）を通信させるＬＡＮコントローラ６２とが設けられている。
【００２６】
デコーダ７は、通信部６で受信した再生データを復号化する際に、当該再生データを音楽データと映像データとに分類し、音楽データをＤＩＲ８に出力して映像データをＶＩＤＥＯ制御部９に出力するようになっている。
【００２７】
ＤＩＲ８は、デコーダ７を介して入力されたコントロールデータに基づいて音声データを再生し、オーディオＤＳＰ１３に出力する。
ＶＩＤＥＯ制御部９は、制御部１０からのコントロールデータに基づいて映像データを再生し、外部機器であるモニタＭに出力する。
【００２８】
制御部１０は、ＣＰＵ、ＲＡＭ、ＲＯＭなどから構成されていて、操作部５からの指示に基づきＣＰＵがＲＯＭ内の制御プログラムをＲＡＭに展開・実行することで各部を制御するようになっている。
【００２９】
具体的には、制御部１０は、操作部５からコンテンツリスト表示指示が入力されると、通信部６を制御してコンテンツリスト取得指示をサーバＳに出力する。これに伴ってサーバＳからコンテンツリストが出力されて、通信部６で受信すると、制御部１０はＶＩＤＥＯ制御部９を制御してモニタＭにコンテンツリストを表示させる。
【００３０】
また、制御部１０は、操作部５からコンテンツ選択指示が入力されると、通信部６を制御してコンテンツ特定指示をサーバＳに出力する。
【００３１】
そして、制御部１０は、操作部５から特定されたコンテンツに対して再生指示が入力されると、通信部６を制御して、再生指示をサーバＳに出力した後、ＤＩＲ８及びＶＩＤＥＯ制御部９を制御して、サーバＳから入力された再生データを再生する。
【００３２】
また、制御部１０は、再生後に操作部５から一時停止指示が入力されると、通信部６を制御して、一時停止指示とともに一時停止情報をサーバＳに出力する。ここで、一時停止情報には、一時停止位置情報や、コンテンツ識別情報などが含まれている。一時停止位置情報は、一時停止時における時間情報である。また、コンテンツ識別情報は、コンテンツを識別するための情報であり、例えば、カテゴリ（ＭＯＶＩＥ、ＭＵＳＩＣ、ＰＨＯＴＯ）、コンテンツ名、ファイル形式などからなる。
【００３３】
また、制御部１０は、操作部５からオーディオ選択指示が入力されると、選択されたオーディオ装置２を視聴制限対象の候補として設定する。
【００３４】
そして、制御部１０は、操作部５から視聴制限コンテンツ選択指示が入力されると、選択されたコンテンツを視聴制限対象の候補として設定する。
【００３５】
また、制御部１０は、視聴制限オーディオ選択指示若しくは視聴制限コンテンツ選択指示が入力された後に、操作部５から視聴制限設定指示が入力されると、視聴制限候補として選択されたオーディオ装置若しくはコンテンツに対して、視聴制限設定を施して、その旨を視聴制限情報としてサーバＳに出力する。
【００３６】
ここで、視聴制限設定指示では、オーディオ装置に対する視聴制限の有無、視聴制限レベル、全コンテンツに対しての視聴制限、暗証番号変更、制限時間などの設定データが設定されるようになっている。ここで、視聴制限有りとして設定された場合には、制御部１０は、対象オーディオ装置２と対象コンテンツとを関連付けて、他の設定データを設定するとともに、対象オーディオ装置２以外の機器（他のオーディオ装置２やサーバＳ）からのコンテンツリスト表示要求に対して非表示とする表示制限を設定する。つまり、制御部１０が本発明に係る設定部である。これら設定部としての制御部１０と、選択部としての操作部５とが本発明に係る視聴制限設定部を構成している。
【００３７】
図３は、サーバＳの概略構成を表すブロック図である。図３に示すように、サーバＳには、複数のコンテンツの再生データを記憶する記憶部２０と、複数のオーディオ装置２それぞれの通信部６と通信する通信部２１と、記憶部２０内の再生データを読み出し、通信部２１から出力させる読出部２２と、複数のオーディオ装置２それぞれの電源状態を検出する検出部２３と、通信部２１に入力された操作部５からの指示及び検出部２３の検出結果に基づいて読出部２２及び通信部２１を制御する制御部２４とが設けられている。
【００３８】
制御部２４は、ＣＰＵ、ＲＡＭ、ＲＯＭなどから構成されていて、通信部２１に入力された指示に基づきＣＰＵがＲＯＭ内の制御プログラムをＲＡＭに展開・実行することで各部を制御するようになっている。
【００３９】
制御部２４は、通信部２１にコンテンツリスト取得指示が入力されると、記憶部２０内の全コンテンツの再生データリストを作成し、通信部２１を制御して、コンテンツリスト取得指示を出力したオーディオ装置２に出力する。なお、この際、表示制限が設定されているコンテンツに対しては、当該コンテンツに関連付けられたオーディオ装置２以外では、表示されないようにコンテンツリストを作成する。
【００４０】
また、制御部２４は、通信部２１にコンテンツ特定指示が入力されると、そのコンテンツの再生データを記憶部２０内から選択し、再生対象として認識する。
【００４１】
制御部２４は、通信部２１に再生指示が入力されると、読出部２２及び通信部２１を制御して、記憶部２０内の再生対象となる再生データを先頭から読み出させながら、再生指示を出力したオーディオ装置２に出力する。
【００４２】
制御部２４は、通信部２１に一時停止指示及び一時停止情報が入力されると、読出部２２及び通信部２１を制御して、再生データの読み出しを停止させて、複数のオーディオ装置のうち、検出部２３の検出結果が電源ＯＮであるオーディオ装置２に一時停止情報を出力する。この際、制御部２４は入力された一時停止情報をＲＡＭに記憶させるようになっている。
【００４３】
次に、本実施形態の作用について説明する。
まず、視聴制限設定時における全体の流れについて説明する。図４は視聴制限設定時の全体構成を表す説明図である。この図４に示すように、まずは対象の候補となるオーディオ装置２が選択される。その後、視聴制限の対象候補がオーディオ装置２自体であるか、コンテンツであるかが決定される。視聴制限の対象候補がコンテンツである場合にはサーバＳ内のコンテンツ群の中から、所定のグループ毎若しくはコンテンツ毎に視聴制限が設定されるようになっている。具体的に、コンテンツ群には、ＭＯＶＩＥ、ＭＵＳＩＣ、ＰＨＯＴＯの３つの区分に分類されたコンテンツが存在している。ＭＯＶＩＥのコンテンツ群には、例えばジャンル毎、シリーズ毎という具合に所定のグループが階層的に分類されていて、最下層には各コンテンツ単体が存在している。ＭＵＳＩＣのコンテンツ群には、例えばジャンル毎、アーティスト毎、アルバム毎という具合に所定のグループが階層的に分類されていて、最下層には各コンテンツ単体が存在している。ＰＨＯＴＯのコンテンツ群には、例えばアルバム毎にグループ化が施されていて、各グループ内に各コンテンツ単体が存在している。そして、視聴制限の対象候補が決定すると、視聴制限の有無が決定されて、視聴制限がある場合には暗証番号が入力される。
【００４４】
以下、各制御工程について具体的に説明する。
図５は、検索対象候補の選択時における制御工程を表したフローチャートである。図５に示すように、ステップＳ１では、制御部１０は操作部５のＳＥＴＵＰキーに対して入力操作があったか否かを判断し、入力操作があった場合にはステップＳ２に移行して、入力操作がない場合にはその状態で待機する。
【００４５】
ステップＳ２では、制御部１０はＶＩＤＥＯ制御部９を制御してモニタＭ上にオーディオ装置２の選択画面（図６参照）を表示させる。図６の選択画面Ｄ１では、リビング、キッチン、寝室、応接間、子供部屋、和室等にあるオーディオ装置２を選択できるようになっている。
【００４６】
そして図５に示すように、ステップＳ３では、制御部１０は、操作部５の上下キーに対して入力操作があったか否かを判断し、上下キーの入力がない場合にはステップＳ５に移行して、入力がある場合にはステップＳ４に移行する。
【００４７】
ステップＳ４では、制御部１０は、上下キーに対する入力操作に伴って、ＶＩＤＥＯ制御部９を制御して、選択されたオーディオ装置２を強調して表示させる。例えば、図６の選択画面Ｄ１では、子供部屋のオーディオ装置が選択されているために、子供部屋欄が強調表示されている。
【００４８】
図５に示すように、ステップＳ５では、制御部１０は、ＳＥＴキー或いはＥＮＴＥＲキーに対して入力操作があったか否かを判断し、入力操作がない場合にはステップＳ２に移行して、入力操作がある場合にはステップＳ６に移行する。
【００４９】
ステップＳ６では、制御部１０はＶＩＤＥＯ制御部９を制御してモニタＭ上に視聴制限の対象候補の選択画面（図７参照）を表示させる。図７の選択画面Ｄ２では、視聴制限の対象候補としてオーディオ装置２自体若しくはコンテンツを選択できるようになっている。
【００５０】
図５に示すようにステップＳ７では、制御部１０は、操作部５の上下キーに対して入力操作があったか否かを判断し、上下キーの入力がない場合にはステップＳ９に移行して、入力がある場合にはステップＳ８に移行する。
【００５１】
ステップＳ８では、制御部１０は、上下キーに対する入力操作に伴って、ＶＩＤＥＯ制御部９を制御して、選択された視聴制限の対象候補を強調して表示させる。例えば、図７の選択画面Ｄ２対象候補としてコンテンツが選択されている場合を表している。
【００５２】
図５に示すように、ステップＳ９では、制御部１０は、ＳＥＴキー或いはＥＮＴＥＲキーに対して入力操作があったか否かを判断し、入力操作がない場合にはステップＳ６に移行して、入力操作がある場合にはステップＳ１０に移行する。
【００５３】
ステップＳ１０では、制御部１０は対象候補がオーディオ装置２であるか否かを判断し、オーディオ装置である場合にはステップＳ１７に移行し、オーディオ装置でない場合にはステップＳ１１に移行する。
【００５４】
ステップＳ１１では、制御部１０はＶＩＤＥＯ制御部９を制御してモニタＭ上にサーバＳ内のコンテンツ群におけるカテゴリの選択画面（図８参照）を表示させる。図８の選択画面Ｄ３では、ＭＯＶＩＥ、ＭＵＳＩＣ、ＰＨＯＴＯの各カテゴリが選択できるようになっている。
【００５５】
図５に示すようにステップＳ１２では、制御部１０は操作部５の上下キーに対して入力操作があったか否かを判断し、上下キーの入力がない場合にはステップＳ１４に移行して、入力がある場合にはステップＳ１３に移行する。
【００５６】
ステップＳ１３では、制御部１０は上下キーに対する入力操作に伴って、ＶＩＤＥＯ制御部９を制御して、選択されたカテゴリを強調して表示させる。例えば、図８の選択画面Ｄ３ではＭＯＶＩＥが選択されている場合を表している。
【００５７】
図５に示すように、ステップＳ１４では、制御部１０はＳＥＴキーに対して入力操作があったか否かを判断し、入力操作がない場合にはステップＳ１５に移行して、入力操作がある場合にはステップＳ１９に移行する。
【００５８】
ステップＳ１５では、制御部１０はＥＮＴＥＲキーに対して入力操作があったか否かを判断し、入力操作がない場合にはステップＳ１６に移行して、入力操作がある場合には選択中におけるカテゴリ内のコンテンツ群を対象候補として決定し、ステップＳ１７に移行する。
【００５９】
ステップＳ１６では、制御部１０はＲＥＴＵＲＮキーに対して入力操作があったか否かを判断し、入力操作がない場合にはステップＳ１１に移行して、入力操作がある場合にはステップＳ２移行する。
【００６０】
ステップＳ１７では、制御部１０は視聴制限設定を実行する。この際、制御部１０は、ステップＳ１０によりオーディオ装置が対象候補として決定されている場合にはオーディオ装置に対する視聴制限設定を実行し、ステップＳ１５によりカテゴリ内のコンテンツ群が対象候補として決定されている場合には当該コンテンツ群に対する視聴制限設定を実行する。
【００６１】
ステップＳ１８では、制御部１０は視聴制限設定により決定した設定データを、通信部６を制御してサーバＳに出力させて、終了する。
【００６２】
図９に示すようにステップＳ１９では、制御部１０はカテゴリとしてＭＯＶＩＥが選択されているか否かを判断し、選択されている場合にはステップＳ２０に移行して、選択されていない場合にはステップＳ４０に移行する。
【００６３】
ステップＳ２０では、制御部１０はＶＩＤＥＯ制御部９を制御してモニタＭ上にＭＯＶＩＥ内のコンテンツ群のジャンルの選択画面（図１０参照）を表示させる。図１０の選択画面Ｄ５では、アクション、アニメーション、コメディ、サスペンス、ドラマ等の各ジャンルが選択できるようになっている。
【００６４】
図９に示すように、ステップＳ２１では、制御部１０は操作部５の上下キーに対して入力操作があったか否かを判断し、上下キーの入力がない場合にはステップＳ２３に移行して、入力がある場合にはステップＳ２２に移行する。
【００６５】
ステップＳ２２では、制御部１０は上下キーに対する入力操作に伴って、ＶＩＤＥＯ制御部９を制御して、選択されたジャンルを強調して表示させる。例えば、図１０の選択画面Ｄ５ではアニメーションが選択されている場合を表している。
【００６６】
図９に示すように、ステップＳ２３では、制御部１０はＳＥＴキーに対して入力操作があったか否かを判断し、入力操作がない場合にはステップＳ２４に移行して、入力操作がある場合にはステップＳ２６に移行する。
【００６７】
ステップＳ２４では、制御部１０はＥＮＴＥＲキーに対して入力操作があったか否かを判断し、入力操作がない場合にはステップＳ２５に移行して、入力操作がある場合には選択中におけるジャンル内のコンテンツ群を対象候補として決定し、ステップＳ３８に移行する。
【００６８】
ステップＳ２５では、制御部１０はＲＥＴＵＲＮキーに対して入力操作があったか否かを判断し、入力操作がない場合にはステップＳ２０に移行して、入力操作がある場合にはステップＳ１１移行する。
【００６９】
ステップＳ２６では、制御部１０はＶＩＤＥＯ制御部９を制御してモニタＭ上にジャンル内のコンテンツ群のシリーズの選択画面（図１１参照）を表示させる。図１１の選択画面Ｄ６では、「ア△△マン」、「イ××××」、「エ□□□□」、「ク▽▽ちゃん」、「ド■■■■」等の各シリーズが選択できるようになっている。
【００７０】
図９に示すように、ステップＳ２７では、制御部１０は操作部５の上下キーに対して入力操作があったか否かを判断し、上下キーの入力がない場合にはステップＳ２９に移行して、入力がある場合にはステップＳ２８に移行する。
【００７１】
ステップＳ２８では、制御部１０は上下キーに対する入力操作に伴って、ＶＩＤＥＯ制御部９を制御して、選択されたシリーズを強調して表示させる。例えば、図１１の選択画面Ｄ６では「ク▽▽ちゃん」が選択されている場合を表している。
【００７２】
図９に示すように、ステップＳ２９では、制御部１０はＳＥＴキーに対して入力操作があったか否かを判断し、入力操作がない場合にはステップＳ３０に移行して、入力操作がある場合にはステップＳ３２に移行する。
【００７３】
ステップＳ３０では、制御部１０はＥＮＴＥＲキーに対して入力操作があったか否かを判断し、入力操作がない場合にはステップＳ３１に移行して、入力操作がある場合には選択中におけるシリーズ内のコンテンツ群を対象候補として決定し、ステップＳ３８に移行する。
【００７４】
ステップＳ３１では、制御部１０はＲＥＴＵＲＮキーに対して入力操作があったか否かを判断し、入力操作がない場合にはステップＳ２６に移行して、入力操作がある場合にはステップＳ２０移行する。
【００７５】
ステップＳ３２では、制御部１０はＶＩＤＥＯ制御部９を制御してモニタＭ上にシーン内のコンテンツの選択画面（図１２参照）を表示させる。図１２の選択画面Ｄ７では、「ク▽▽ちゃん  ボーイズ」、「ク▽▽ちゃん  ロードショー」、「ク▽▽ちゃん  ＴＶ版傑作選」、「ク▽▽ちゃん  スペシャル」、「ク▽▽ちゃん  戦国大合戦」等の各コンテンツが選択できるようになっている。
【００７６】
図９に示すように、ステップＳ３３では、制御部１０は操作部５の上下キーに対して入力操作があったか否かを判断し、上下キーの入力がない場合にはステップＳ３５に移行して、入力がある場合にはステップＳ３４に移行する。
【００７７】
ステップＳ３４では、制御部１０は上下キーに対する入力操作に伴って、ＶＩＤＥＯ制御部９を制御して、選択されたコンテンツを強調して表示させる。例えば、図１２の選択画面Ｄ７では、「ク▽▽ちゃん  ボーイズ」が選択されている場合を表している。
【００７８】
図９に示すように、ステップＳ３５では、制御部１０はＳＥＴキーに対して入力操作があったか否かを判断し、入力操作がない場合にはステップＳ３６に移行して、入力操作がある場合には、選択中のコンテンツを対象候補として決定し、ステップＳ３８に移行する。
【００７９】
ステップＳ３６では、制御部１０はＥＮＴＥＲキーに対して入力操作があったか否かを判断し、入力操作がない場合にはステップＳ３７に移行して、入力操作がある場合には選択中におけるシリーズ内のコンテンツを対象候補として決定し、ステップＳ３８に移行する。
【００８０】
ステップＳ３７では、制御部１０はＲＥＴＵＲＮキーに対して入力操作があったか否かを判断し、入力操作がない場合にはステップＳ３２に移行して、入力操作がある場合にはステップＳ２６移行する。
【００８１】
ステップＳ３８では、制御部１０は視聴制限設定を実行する。この際、制御部１０は、ステップＳ２４によりジャンル内のコンテンツ群が対象候補として決定されている場合にはジャンル内のコンテンツ群に対する視聴制限設定を実行し、ステップＳ３０によりシリーズ内のコンテンツ群が対象候補として決定されている場合にはシリーズ内のコンテンツ群に対する視聴制限設定を実行し、ステップＳ３５，３６によりコンテンツが対象候補として決定されている場合には当該コンテンツに対する視聴制限設定を実行する。
ステップＳ３９では、制御部１０は視聴制限設定により決定した設定データを、通信部６を制御してサーバＳに出力させて、終了する。
【００８２】
図１４に示すようにステップＳ４０では、制御部１０はカテゴリとしてＭＵＳＩＣが選択されているか否かを判断し、選択されている場合にはステップＳ４１に移行して、選択されていない場合にはステップＳ４４に移行する。
【００８３】
ステップＳ４１では、制御部１０はＶＩＤＥＯ制御部９を制御してモニタＭ上にＭＵＳＩＣ内のコンテンツ群のアルバムの選択画面を表示させる。
【００８４】
ステップＳ４２では、制御部１０は操作部５の上下キーに対して入力操作があったか否かを判断し、上下キーの入力がない場合にはステップＳ４４に移行して、入力がある場合にはステップＳ４３に移行する。
【００８５】
ステップＳ４３では、制御部１０は上下キーに対する入力操作に伴って、ＶＩＤＥＯ制御部９を制御して、選択されたアルバムを強調して表示させる。
【００８６】
ステップＳ４４では、制御部１０はＳＥＴキーに対して入力操作があったか否かを判断し、入力操作がない場合にはステップＳ４５に移行して、入力操作がある場合にはステップＳ４７に移行する。
【００８７】
ステップＳ４５では、制御部１０はＥＮＴＥＲキーに対して入力操作があったか否かを判断し、入力操作がない場合にはステップＳ４６に移行して、入力操作がある場合には選択中におけるアルバム内のコンテンツ群を対象候補として決定し、ステップＳ５３に移行する。
【００８８】
ステップＳ４６では、制御部１０はＲＥＴＵＲＮキーに対して入力操作があったか否かを判断し、入力操作がない場合にはステップＳ４１に移行して、入力操作がある場合にはステップＳ１１移行する。
【００８９】
ステップＳ４７では、制御部１０はＶＩＤＥＯ制御部９を制御してモニタＭ上にアルバム内のコンテンツの選択画面を表示させる。
【００９０】
ステップＳ４８では、制御部１０は操作部５の上下キーに対して入力操作があったか否かを判断し、上下キーの入力がない場合にはステップＳ５０に移行して、入力がある場合にはステップＳ４９に移行する。
【００９１】
ステップＳ４９では、制御部１０は上下キーに対する入力操作に伴って、ＶＩＤＥＯ制御部９を制御して、選択されたコンテンツを強調して表示させる。
【００９２】
ステップＳ５０では、制御部１０はＳＥＴキーに対して入力操作があったか否かを判断し、入力操作がない場合にはステップＳ５１に移行して、入力操作がある場合には選択中のコンテンツを対象候補として決定し、ステップＳ５３に移行する。
【００９３】
ステップＳ５１では、制御部１０はＥＮＴＥＲキーに対して入力操作があったか否かを判断し、入力操作がない場合にはステップＳ４６に移行して、入力操作がある場合には選択中のコンテンツを対象候補として決定し、ステップＳ５３に移行する。
【００９４】
ステップＳ５２では、制御部１０はＲＥＴＵＲＮキーに対して入力操作があったか否かを判断し、入力操作がない場合にはステップＳ４７に移行して、入力操作がある場合にはステップＳ４１移行する。
【００９５】
ステップＳ５３では、制御部１０は視聴制限設定を実行する。この際、制御部１０は、ステップＳ４５によりアルバム内のコンテンツ群が対象候補として決定されている場合にはアルバム内のコンテンツ群に対する視聴制限設定を実行し、ステップＳ５０，５１によりコンテンツが対象候補として決定されている場合には当該コンテンツに対する視聴制限設定を実行する。
ステップＳ５４では、制御部１０は視聴制限設定により決定した設定データを、通信部６を制御してサーバＳに出力させて、終了する。
【００９６】
図１４に示すように、ステップＳ５５では、制御部１０はＶＩＤＥＯ制御部９を制御してモニタＭ上にＰＨＯＴＯ内のコンテンツ群のアルバムの選択画面を表示させる。
【００９７】
ステップＳ５６では、制御部１０は操作部５の上下キーに対して入力操作があったか否かを判断し、上下キーの入力がない場合にはステップＳ５８に移行して、入力がある場合にはステップＳ５７に移行する。
【００９８】
ステップＳ５７では、制御部１０は上下キーに対する入力操作に伴って、ＶＩＤＥＯ制御部９を制御して、選択されたアルバムを強調して表示させる。
【００９９】
ステップＳ５８では、制御部１０はＳＥＴキーに対して入力操作があったか否かを判断し、入力操作がない場合にはステップＳ５９に移行して、入力操作がある場合にはステップＳ６１に移行する。
【０１００】
ステップＳ５９では、制御部１０はＥＮＴＥＲキーに対して入力操作があったか否かを判断し、入力操作がない場合にはステップＳ６０に移行して、入力操作がある場合には選択中におけるアルバム内のコンテンツ群を対象候補として決定し、ステップＳ６７に移行する。
【０１０１】
ステップＳ６０では、制御部１０はＲＥＴＵＲＮキーに対して入力操作があったか否かを判断し、入力操作がない場合にはステップＳ５５に移行して、入力操作がある場合にはステップＳ１１移行する。
【０１０２】
ステップＳ６１では、制御部１０はＶＩＤＥＯ制御部９を制御してモニタＭ上にＰＨＯＴＯカテゴリにおけるアルバム内のコンテンツの選択画面を表示させる。
【０１０３】
ステップＳ６２では、制御部１０は操作部５の上下キーに対して入力操作があったか否かを判断し、上下キーの入力がない場合にはステップＳ６４に移行して、入力がある場合にはステップＳ６３に移行する。
【０１０４】
ステップＳ６３では、制御部１０は上下キーに対する入力操作に伴って、ＶＩＤＥＯ制御部９を制御して、選択されたコンテンツを強調して表示させる。
【０１０５】
ステップＳ６４では、制御部１０はＳＥＴキーに対して入力操作があったか否かを判断し、入力操作がない場合にはステップＳ６５に移行して、入力操作がある場合には選択中のコンテンツを対象候補として決定し、ステップＳ６５に移行する。
【０１０６】
ステップＳ６５では、制御部１０はＥＮＴＥＲキーに対して入力操作があったか否かを判断し、入力操作がない場合にはステップＳ６６に移行して、入力操作がある場合には選択中のコンテンツを対象候補として決定し、ステップＳ６７に移行する。
【０１０７】
ステップＳ６６では、制御部１０はＲＥＴＵＲＮキーに対して入力操作があったか否かを判断し、入力操作がない場合にはステップＳ６１に移行して、入力操作がある場合にはステップＳ５５移行する。
【０１０８】
ステップＳ６７では、制御部１０は視聴制限設定を実行する。この際、制御部１０は、ステップＳ５９によりＰＨＯＴＯカテゴリにおけるアルバム内のコンテンツ群が対象候補として決定されている場合にはアルバム内のコンテンツ群に対する視聴制限設定を実行し、ステップＳ６４，６５によりコンテンツが対象候補として決定されている場合には当該コンテンツに対する視聴制限設定を実行する。
ステップＳ６８では、制御部１０は視聴制限設定により決定した設定データを、通信部６を制御してサーバＳに出力させて、終了する。
【０１０９】
次に、視聴制限設定時における制御工程について説明する。図１５に示すようにステップＳ６９では、制御部１０はＶＩＤＥＯ制御部９を制御してモニタＭ上に視聴制限設定の選択画面（図１６参照）を表示させる。図１６に示すように選択画面Ｄ８には、対象候補を視聴制限無しとするための視聴制限無し欄ｄ１、対象候補に対して視聴制限を設定するための視聴制限有り欄ｄ２〜ｄ８欄、対象候補がオーディオ装置２である場合にサーバＳ内の全コンテンツに対してオーディオ装置２の視聴制限を設定する全コンテンツ視聴制限有り欄ｄ９、暗証番号を変更するための暗証番号変更欄ｄ１０、視聴制限設定を一時解除するための一時解除ボタンｄ１１、視聴制限対象の視聴時間を設定する視聴時間設定欄ｄ１２が設けられている。ここで、視聴制限有り欄ｄ２〜ｄ８は、対象候補の視聴制限レベルを設定するものである。オーディオ装置２側で視聴制限レベルが設定されていると、その視聴レベル未満のコンテンツはオーディオ装置２で視聴できるものの、視聴レベル以上のコンテンツは視聴できなくなる。
【０１１０】
ステップＳ７０では、制御部１０は操作部５の上下キーに対して入力操作があったか否かを判断し、上下キーの入力が無い場合にはステップＳ７２に移行して、入力がある場合にはステップＳ７１に移行する。
【０１１１】
ステップＳ７１では、制御部１０は上下キーに対する入力操作に伴って、ＶＩＤＥＯ制御部９を制御して、選択された欄ｄ１〜ｄ１２を強調して表示させる。
【０１１２】
ステップＳ７２では、制御部１０はＲＥＴＵＲＮキーに対して入力操作があったか否かを判断し、入力操作がない場合にはステップＳ７６に移行して、入力操作がある場合にはステップＳ７３に移行する。
【０１１３】
ステップＳ７３では、制御部１０はオーディオ装置２の視聴制限が選択中であるか否かを判断し、オーディオ装置２に対してである場合にはステップＳ２に移行し、オーディオ装置２以外に対してである場合にはステップＳ７４に移行する。
【０１１４】
ステップＳ７４では、制御部１０はＭＯＶＩＥのコンテンツの視聴制限が選択中であるか否かを判断し、ＭＯＶＩＥのコンテンツに対してである場合にはステップＳ３２に移行し、ＭＯＶＩＥのコンテンツ以外のコンテンツに対してである場合にはステップＳ７５に移行する。
【０１１５】
ステップＳ７５では、制御部１０はＭＵＳＩＣのコンテンツの視聴制限が選択中であるか否かを判断し、ＭＵＳＩＣのコンテンツに対してである場合にはステップＳ４７に移行し、ＰＨＯＴＯのコンテンツに対してである場合にはステップＳ６１に移行する。
【０１１６】
ステップＳ７６では、制御部１０はＳＥＴキー或いはＥＮＴＥＲキーに対して入力操作があったか否かを判断し、入力操作がない場合にはステップＳ６９に移行して、入力操作がある場合にはステップＳ７７に移行する。
【０１１７】
ステップＳ７７では、制御部１０はＳＥＴキーあるいはＥＮＴＥＲキーの入力時に選択されていた欄が視聴制限無し欄ｄ１であったか否かを判断し、視聴制限無し欄ｄ１であった場合はステップＳ７８に移行して、視聴制限無し欄ｄ１でなかった場合はステップＳ７９に移行する。
【０１１８】
ステップＳ７８では、制御部１０は対象候補が視聴制限無しであることを記憶し、視聴制限設定を終了する。
【０１１９】
ステップＳ７９では、制御部１０はＳＥＴキーあるいはＥＮＴＥＲキーの入力時に選択されていた欄が視聴制限有り欄ｄ２〜ｄ８の何れかであったか否かを判断し、視聴制限有り欄ｄ２〜ｄ８の何れかであった場合はステップＳ８３に移行して、視聴制限有り欄ｄ２〜ｄ８の何れかでもなかった場合はステップＳ８０に移行する。
【０１２０】
ステップＳ８０では、制御部１０はＳＥＴキーあるいはＥＮＴＥＲキーの入力時に選択されていた欄が全コンテンツ視聴制限有り欄ｄ９であったか否かを判断し、全コンテンツ視聴制限有り欄ｄ９であった場合はステップＳ８３に移行して、全コンテンツ視聴制限有り欄ｄ９でなかった場合はステップＳ８２に移行する。
【０１２１】
ステップＳ８２では、制御部１０はＳＥＴキーあるいはＥＮＴＥＲキーの入力時に選択されていた欄が暗証番号変更欄ｄ１０であったか否かを判断し、暗証番号変更欄ｄ１０であった場合はステップＳ８３に移行して、暗証番号変更欄ｄ１０でなかった場合はステップＳ８４に移行する。
【０１２２】
ステップＳ８３では、制御部１０は暗証番号設定を実行した後に視聴制限設定を終了する。
【０１２３】
ステップＳ８４では、制御部１０はＳＥＴキーあるいはＥＮＴＥＲキーの入力時に選択されていた欄が一時解除欄ｄ１１であったか否かを判断し、一時解除欄ｄ１１であった場合はステップＳ８５に移行して、一時解除欄ｄ１１でなかった場合は視聴時間設定欄ｄ１２が選択されていたとしてステップＳ８６に移行する。
【０１２４】
ステップＳ８５では、制御部１０は対象候補における視聴制限が一時解除であることを記憶して、視聴制限設定を終了する。
【０１２５】
ステップＳ８６では、制御部１０は対象候補における制限時間設定を実行した後に視聴制限設定を終了する。
【０１２６】
次に、暗証番号設定時における制御工程について説明する。図１７に示すようにステップＳ８７では、制御部１０はモニタＭに暗証番号設定画面が表示されるように、ＶＩＤＥＯ制御部９を制御する。図１８は暗証番号の設定画面の一例を表す説明図である。この図１８に示すように、設定画面Ｄ９には暗証番号表示欄ｄ１３が設けられていて、この暗証番号表示欄ｄ１３に入力された番号が表示されるようになっている。
【０１２７】
図１７に示すステップＳ８８では、制御部１０は数字キーのうち、０〜９キーのいずれかに対して入力操作があるか否かを判断し、入力操作がある場合にはステップＳ９０に移行して、入力操作がない場合にはステップＳ８９に移行する。
【０１２８】
ステップＳ８９では、制御部１０はＲＥＴＵＲＮキーに対して入力操作があるか否かを判断し、入力操作がある場合には暗証番号設定を終了し、入力操作がない場合にはステップＳ８８に移行する。
【０１２９】
ステップＳ９０では、制御部１０はステップＳ８８で入力された数字を４桁目の数字として記憶するともに、当該数字が暗証番号表示欄ｄ１３の４桁目に表示されるようにＶＩＤＥＯ制御部９を制御する。
【０１３０】
ステップＳ９１では、制御部１０は数字キーのうち、０〜９キーのいずれかに対して入力操作があるか否かを判断し、入力操作がある場合にはステップＳ９３に移行して、入力操作がない場合にはステップＳ９２に移行する。
【０１３１】
ステップＳ９２では、制御部はＲＥＴＵＲＮキーに対して入力操作があるか否かを判断し、入力操作がある場合には暗証番号設定を終了し、入力操作がない場合にはステップＳ９１に移行する。
【０１３２】
ステップＳ９３では、制御部１０はステップＳ９１で入力された数字を３桁目の数字として記憶するともに、当該数字が暗証番号表示欄ｄ１３の３桁目に表示されるようにＶＩＤＥＯ制御部９を制御する。
【０１３３】
ステップＳ９４では、制御部１０は数字キーのうち、０〜９キーのいずれかに対して入力操作があるか否かを判断し、入力操作がある場合にはステップＳ９６に移行して、入力操作がない場合にはステップＳ９５に移行する。
【０１３４】
ステップＳ９５では、制御部１０はＲＥＴＵＲＮキーに対して入力操作があるか否かを判断し、入力操作がある場合には暗証番号設定を終了し、入力操作がない場合にはステップＳ９４に移行する。
【０１３５】
ステップＳ９６では、制御部１０はステップＳ９４で入力された数字を２桁目の数字として記憶するともに、当該数字が暗証番号表示欄ｄ１３の２桁目に表示されるようにＶＩＤＥＯ制御部９を制御する。
【０１３６】
ステップＳ９７では、制御部１０は数字キーのうち、０〜９キーのいずれかに対して入力操作があるか否かを判断し、入力操作がある場合にはステップＳ９９に移行して、入力操作がない場合にはステップＳ９８に移行する。
【０１３７】
ステップＳ９８では、制御部１０はＲＥＴＵＲＮキーに対して入力操作があるか否かを判断し、入力操作がある場合には暗証番号設定を終了し、入力操作がない場合にはステップＳ９７に移行する。
【０１３８】
ステップＳ９９では、制御部１０はステップＳ９７で入力された数字を１桁目の数字として記憶するともに、当該数字が暗証番号表示欄ｄ１３の１桁目に表示されるようにＶＩＤＥＯ制御部９を制御する。
【０１３９】
ステップＳ１００では、制御部１０はＥＮＴＥＲキーに対して入力操作があるか否かを判断し、入力操作がある場合にはステップＳ１０２に移行し、入力操作がない場合にはステップＳ１０１に移行する。
【０１４０】
ステップＳ１０１では、制御部１０はＲＥＴＵＲＮキーに対して入力操作があるか否かを判断し、入力操作がある場合には暗証番号設定を終了し、入力操作がない場合にはステップＳ１００に移行する。
【０１４１】
ステップＳ１０２では、制御部１０は視聴制限設定で設定された視聴制限レベルを記憶する。この際、制御部１０は、対象オーディオ装置２と対象コンテンツとを関連付けて、他の設定データを設定するとともに、対象オーディオ装置２以外の機器（他のオーディオ装置２やサーバＳ）からのコンテンツリスト表示要求に対して非表示とする表示制限を設定している。
ステップＳ１０３では、制御部は入力された４桁の暗証番号を記憶して終了する。
【０１４２】
次に制限時間設定時における制御工程について説明する。図１９に示すようにステップＳ１０４では、制御部１０はモニタＭに視聴制限時間設定画面が表示されるように、ＶＩＤＥＯ制御部９を制御する。図２０は視聴制限時間の設定画面の一例を表す説明図である。この図２０に示すように、設定画面Ｄ１０には視聴開始時間が入力される視聴開始時間欄ｄ１４、視聴開始分が入力される視聴開始分欄ｄ１５、視聴終了時間が入力される視聴終了時間欄ｄ１６、視聴終了分が入力される視聴終了分欄ｄ１７、視聴制限無しが指示される視聴制限無し欄ｄ１８が設けられている。
【０１４３】
図１９に示すステップＳ１０５では、制御部１０は上下左右キーに対して入力操作があるか否かを判断し、入力操作がある場合にはステップＳ１０６に移行して、入力操作がない場合にはステップＳ１０７に移行する。
【０１４４】
ステップＳ１０６では、制御部１０は上下左右キーに対する入力操作に伴って、ＶＩＤＥＯ制御部９を制御して、選択された欄ｄ１４〜ｄ１７を強調して表示させる。
【０１４５】
ステップＳ１０７では、制御部１０はＥＮＴＥＲキーに対して入力操作があったか否かを判断し、入力操作がない場合にはステップＳ１２１に移行して、入力操作がある場合にはステップＳ１０８に移行する。
【０１４６】
ステップＳ１０８では、制御部１０は視聴開始時間欄ｄ１４が選択されているか否かを判断し、視聴開始時間欄ｄ１４が選択されている場合にはステップＳ１０９に移行して、視聴開始時間欄ｄ１４が選択されていない場合にはステップＳ１１１に移行する。
【０１４７】
ステップＳ１０９では、制御部１０は上下キーに対して入力操作があるか否かを判断し、入力操作がある場合にはステップＳ１１０に移行して、入力操作がない場合にはステップＳ１０７に移行する。
【０１４８】
ステップＳ１１０では、制御部１０は上下キーに対する入力操作に伴って、ＶＩＤＥＯ制御部９を制御して、選択された視聴開始時間欄ｄ１４の値を変更して、表示させる。
【０１４９】
ステップＳ１１１では、制御部１０は視聴開始分欄ｄ１５が選択されているか否かを判断し、視聴開始分欄ｄ１５が選択されている場合にはステップＳ１１２に移行して、視聴開始分欄ｄ１５が選択されていない場合にはステップＳ１１４に移行する。
【０１５０】
ステップＳ１１２では、制御部１０は上下キーに対して入力操作があるか否かを判断し、入力操作がある場合にはステップＳ１１３に移行して、入力操作がない場合にはステップＳ１０７に移行する。
【０１５１】
ステップＳ１１３では、制御部１０は上下キーに対する入力操作に伴って、ＶＩＤＥＯ制御部９を制御して、選択された視聴開始分欄ｄ１５の値を変更して、表示させる。
【０１５２】
ステップＳ１１４では、制御部１０は視聴終了時間欄ｄ１６が選択されているか否かを判断し、視聴終了時間欄ｄ１６が選択されている場合にはステップＳ１１５に移行して、視聴終了時間欄ｄ１６が選択されていない場合にはステップＳ１１７に移行する。
【０１５３】
ステップＳ１１５では、制御部１０は上下キーに対して入力操作があるか否かを判断し、入力操作がある場合にはステップＳ１１６に移行して、入力操作がない場合にはステップＳ１０７に移行する。
【０１５４】
ステップＳ１１６では、制御部１０は上下キーに対する入力操作に伴って、ＶＩＤＥＯ制御部９を制御して、選択された視聴終了時間欄ｄ１６の値を変更して、表示させる。
【０１５５】
ステップＳ１１７では、制御部１０は視聴終了分欄ｄ１７が選択されているか否かを判断し、視聴終了分欄ｄ１７が選択されている場合にはステップＳ１１８に移行して、視聴終了分欄ｄ１７が選択されていない場合にはステップＳ１２０に移行する。
【０１５６】
ステップＳ１１８では、制御部１０は上下キーに対して入力操作があるか否かを判断し、入力操作がある場合にはステップＳ１１９に移行して、入力操作がない場合にはステップＳ１０７に移行する。
【０１５７】
ステップＳ１１９では、制御部１０は上下キーに対する入力操作に伴って、ＶＩＤＥＯ制御部９を制御して、選択された視聴終了分欄ｄ１７の値を変更して、表示させる。
【０１５８】
ステップＳ１２０では、制御部１０は設定されていた視聴制限時間を解除して、制限時間設定を終了する。
【０１５９】
ステップＳ１２１では、制御部１０はＲＥＴＵＲＮキーに対して入力操作があったか否かを判断し、入力操作がない場合にはステップＳ１０５に移行して、入力操作がある場合にはステップＳ１２２に移行する。
【０１６０】
ステップＳ１２２では、制御部１０は視聴開始時間、視聴開始分、視聴終了時間、視聴終了分等の設定された制限時間を記憶して、制限時間設定を終了する。
【０１６１】
これら一連の工程によって視聴制限が設定される。設定後においては、視聴制限が設定されたコンテンツに対して、視聴制限済みであることが分かるように視聴制限マークが表示される。例えば、シリーズに対して視聴制限が設定されている場合には図２１に示す選択画面Ｄ１１のようにシリーズ名（例えば「ク▽▽ちゃん」）の隣に視聴制限マークＫ及び視聴制限レベルＬが表示される。また、コンテンツに対して視聴制限が設定されている場合には図２２に示す選択画面Ｄ１２のようにコンテンツ名（例えば、「ク▽▽ちゃん  ボーイズ」、「ク▽▽ちゃん  ロードショー」、「ク▽▽ちゃん  戦国大合戦」）の隣に視聴制限マークＫ及び視聴制限レベルＬが表示される。また、資料制限時間が設定されている場合には図２３に示す選択画面Ｄ１３のように視聴制限対象（例えばク▽▽ちゃん）の隣に視聴制限時間が表示される。
【０１６２】
上記工程によってオーディオ装置２からサーバＳに設定データが入力されると、サーバＳの制御部２４は各オーディオ装置２の設定データを記憶する。ここで、視聴制限の設定されたオーディオ装置２で、視聴制限の設定されたコンテンツが再生中であった場合には、サーバＳの制御部２４は当該コンテンツの再生を停止させる。
【０１６３】
また、制御部２４は、操作部５からコンテンツリスト表示指示が入力されると、記憶部２０内で表示制限の設定されていないコンテンツの再生データリストを作成し、通信部２１を制御して、コンテンツリスト取得指示を出力したオーディオ装置２に出力する。
その後、通信部２１にコンテンツ特定指示が入力されると、制御部２４は、そのコンテンツの再生データを記憶部２０内から選択し、再生対象として認識した後、再生プログラムを実行する。
なお、再生プログラムを実行する際、オーディオ装置２の視聴可能時間から外れている場合には制御部２４は再生プログラムの実行を禁止する。
【０１６４】
以上のように本実施形態によれば、選択されたコンテンツに対して、当該コンテンツと関連付けられたオーディオ装置２での視聴制限が設定されるだけでなく、表示制限が設定されるので、他の機器でサーバＳ内のコンテンツリストを視聴したとしても視聴制限が設定されたコンテンツは表示されないようにすることができる。これにより、視聴制限が設定されたコンテンツの秘密保持性を確保することができる。
そして、複数のオーディオ装置２から少なくとも１つ選択されると、選択されたオーディオ装置に関連するように、サーバＳ内のコンテンツ群から、コンテンツ毎、所定のグループ毎のいずれかでコンテンツが選択されるので、所定のグループ毎に視聴制限を設定することも可能となる。
これらのことにより、コンテンツの視聴制限時におけるユーザビリティを向上させることができる。
【０１６５】
また、視聴制限設定時には、コンテンツの視聴可能時刻や、選択部で選択されたオーディオ装置２に対する視聴可能時刻をも設定可能であるので、視聴制限のバリエーションを増やすことができる。
【０１６６】
なお、本発明は上記実施形態に限らず適宜変更可能であるのは勿論である。
例えば、予め所定のオーディオ装置２によって視聴制限が設定されていて、その視聴制限内容を他のオーディオ装置２で変更する場合には、変更前に暗証番号の照合を実行させることが好ましい。具体的には、視聴制限設定が開始されると、モニタＭ上に図１８に示す選択画面Ｄ９が表示されていて、これを基に暗証番号が入力される。入力された暗証番号と、従前に登録されていた暗証番号とを制御部１０は照合し、一致した場合にのみ他のオーディオ装置２での設定変更を可能とする。
【０１６７】
また、視聴制限設定時に予め他のオーディオ装置２からの視聴制限変更を許可するか否かを設定していてもよい。この場合、例えば視聴制限の対象候補としてオーディオ装置２自体若しくはコンテンツを選択する際に、視聴制限許可設定も選択することができるようになっている（図２４参照）。図２４の選択画面Ｄ１４で、視聴制限許可設定が選択されると、モニタＭ上には視聴制限許可設定の対象を選択するための選択画面Ｄ１５が表示されて、これを基にして対象を選択する。その後、モニタＭ上には選択した対象の、他のオーディオ装置２からの視聴制限設定変更可否を選択するための選択画面Ｄ１６が表示される（図２６参照）。これら一連の手順によって他のオーディオ装置２からの視聴制限変更を可否が決定されることになる。
【０１６８】
また、本実施形態ではオーディオ装置２によって視聴制限が設定される場合について説明したが、サーバＳによって視聴制限が設定されるものであってもかまわない。
また、サーバＳとオーディオ装置２との通信が確立されていないときに、オーディオ装置２で視聴制限が設定された場合には、サーバＳとの通信が確立された後に、設定データをサーバＳに送信するようにすることが好ましい。
【０１６９】
また、オーディオ装置２に対する視聴制限として、視聴制限時刻が設定されている場合には、当該制限時間となると電源がオフになるようにしてもよい。
【０１７０】
また、本実施形態では、オーディオ装置２若しくはサーバＳ内のコンテンツに対して視聴制限が設定される場合について説明したが、ＤＶＤ再生装置３で再生されるＤＶＤ内のコンテンツに対しても視聴制限を設定してもよい。この場合、オーディオ装置２から設定データがＤＶＤ再生装置３に転送されて、当該設定データを基にＤＶＤ再生装置３側でコンテンツの視聴制限を実行する。
【図面の簡単な説明】
【０１７１】
【図１】本実施形態のネットワークオーディオシステムを示す説明図である。
【図２】図１のネットワークオーディオシステムに備わるオーディオ装置の概略構成を表すブロック図である。
【図３】図１のネットワークオーディオシステムに備わるサーバの概略構成を表すブロック図である。
【図４】図２のオーディオ装置の制御工程の概略を表す説明図である。
【図５】図２のオーディオ装置の制御工程を表すフローチャートである。
【図６】図２のオーディオ装置でモニタに表示させる選択画面の一例を表す説明図である。
【図７】図２のオーディオ装置でモニタに表示させる選択画面の一例を表す説明図である。
【図８】図２のオーディオ装置でモニタに表示させる選択画面の一例を表す説明図である。
【図９】図２のオーディオ装置の制御工程を表すフローチャートである。
【図１０】図２のオーディオ装置でモニタに表示させる選択画面の一例を表す説明図である。
【図１１】図２のオーディオ装置でモニタに表示させる選択画面の一例を表す説明図である。
【図１２】図２のオーディオ装置でモニタに表示させる選択画面の一例を表す説明図である。
【図１３】図２のオーディオ装置の制御工程を表すフローチャートである。
【図１４】図２のオーディオ装置の制御工程を表すフローチャートである。
【図１５】図２のオーディオ装置の制御工程を表すフローチャートである。
【図１６】図２のオーディオ装置でモニタに表示させる選択画面の一例を表す説明図である。
【図１７】図２のオーディオ装置の制御工程を表すフローチャートである。
【図１８】図２のオーディオ装置でモニタに表示させる選択画面の一例を表す説明図である。
【図１９】図２のオーディオ装置の制御工程を表すフローチャートである。
【図２０】図２のオーディオ装置でモニタに表示させる選択画面の一例を表す説明図である。
【図２１】図２のオーディオ装置でモニタに表示させる選択画面の一例を表す説明図である。
【図２２】図２のオーディオ装置でモニタに表示させる選択画面の一例を表す説明図である。
【図２３】図２のオーディオ装置でモニタに表示させる選択画面の一例を表す説明図である。
【図２４】図２のオーディオ装置でモニタに表示させる選択画面の一例を表す説明図である。
【図２５】図２のオーディオ装置でモニタに表示させる選択画面の一例を表す説明図である。
【図２６】従来のオーディオ装置の制御工程を表すフローチャートである。
【図２７】従来のオーディオ装置でモニタに表示させる選択画面の一例を表す説明図である。
【符号の説明】
【０１７２】
１      ネットワークオーディオシステム
２      オーディオ装置
３      サーバ
４      ルータ
５      操作部（選択部、視聴制限設定部）
６      通信部
７      デコーダ
８      ＤＩＲ
９      ＶＩＤＥＯ制御部
１０      制御部（設定部、視聴制限設定部）
１１      表示部
１２      表示制御マイコン
１３      オーディオＤＳＰ
１４      アンプ部
１５      スピーカ
２０      記憶部
２１      通信部
２２      読出部
２３      検出部
２４      制御部
６１      入出力端子
６２      コントローラ
Ｍ      モニタ
Ｓ      サーバ
【図１】
2007243879.tif 000003
【図２】
2007243879.tif 000004
【図３】
2007243879.tif 000005
【図４】
2007243879.tif 000006
【図５】
2007243879.tif 000007
【図６】
2007243879.tif 000008
【図７】
2007243879.tif 000009
【図８】
2007243879.tif 000010
【図９】
2007243879.tif 000011
【図１０】
2007243879.tif 000012
【図１１】
2007243879.tif 000013
【図１２】
2007243879.tif 000014
【図１３】
2007243879.tif 000015
【図１４】
2007243879.tif 000016
【図１５】
2007243879.tif 000017
【図１６】
2007243879.tif 000018
【図１７】
2007243879.tif 000019
【図１８】
2007243879.tif 000020
【図１９】
2007243879.tif 000021
【図２０】
2007243879.tif 000022
【図２１】
2007243879.tif 000023
【図２２】
2007243879.tif 000024
【図２３】
2007243879.tif 000025
【図２４】
2007243879.tif 000026
【図２５】
2007243879.tif 000027
【図２６】
2007243879.tif 000028
【図２７】
2007243879.tif 000029
【手続補正書】
【提出日】平成18年8月22日(2006.8.22)
【手続補正１】
【補正対象書類名】特許請求の範囲
【補正対象項目名】全文
【補正方法】変更
【補正の内容】
【特許請求の範囲】
【請求項１】
コンテンツの再生データを再生する複数の再生装置と、
前記再生データを記憶するとともに、当該再生データを前記複数の再生装置のそれぞれに出力するサーバとを有し、
前記サーバ及び前記再生装置の少なくとも一方の機器は、
前記サーバ内のコンテンツに対して視聴制限を設定する視聴制限設定部を備え、
前記視聴制限設定部は、
前記複数の再生装置から少なくとも１つを選択するとともに、選択された再生装置に関連するように、前記サーバ内のコンテンツ群から、コンテンツ毎、所定のグループ毎のいずれかで前記コンテンツを選択する選択部と、
前記選択部で選択されたコンテンツに対して、当該コンテンツと関連付けられた前記再生装置での視聴制限を設定するとともに、他の機器からのコンテンツリスト表示要求に対して非表示とする表示制限を設定する設定部とを備えることを特徴とするネットワーク再生システム。
【請求項２】
請求項１記載のネットワーク再生システムにおいて、
前記設定部は、前記コンテンツの視聴可能時刻を設定可能であることを特徴とするネットワーク再生システム。
【請求項３】
請求項１又は２記載のネットワーク再生システムにおいて、
前記設定部は、前記選択部で選択された前記再生装置に対する視聴可能時刻を設定可能であることを特徴とするネットワーク再生システム。
【手続補正２】
【補正対象書類名】明細書
【補正対象項目名】全文
【補正方法】変更
【補正の内容】
【発明の詳細な説明】
【技術分野】
【０００１】
本発明は、ネットワーク再生システムに関する。
【背景技術】
【０００２】
従来、サーバに複数の再生装置（以下、クライアントという。）を接続したネットワーク再生システムが開発されている。ネットワーク再生システムでは、動画、音楽、静止画などのコンテンツをサーバで管理していて、各クライアントがサーバと通信することで各コンテンツを再生できるようになっている。つまり、例えばＤＶＤや、ＣＤなどのようなコンテンツを記憶した記憶媒体を各クライアントで読み込まなくとも、様々なコンテンツを再生することができるのである。通常の場合、ネットワーク上のクライアントからは、サーバ上のコンテンツリストが閲覧可能になっている。
【０００３】
ここで、コンテンツによっては過激なシーンや教育上好ましくないシーンが盛り込まれている場合もあり、こういったコンテンツを子どもに視聴させるのは好ましくないため、近年においてはクライアント毎に視聴制限を設定することができるネットワーク再生システムが開発されている（例えば特許文献１、２参照）。
【０００４】
図２８は、従来のネットワーク再生システムにおける視聴制限設定時の制御工程を表すフローチャートである。視聴制限対象であるクライアント（対象クライアント）で視聴制限設定が実行されると、図２８に示すように、まずステップＳ３０１では、クライアントの制御部は、モニタに視聴制限設定選択画面が表示されるように、表示制御部を制御する。図２９は視聴制限設定選択画面の一例を表す説明図である。この図２９に示すように視聴制限設定選択画面Ｇには、対象クライアントを視聴制限無しとするための視聴制限無し欄ｇ１、対象クライアントに対して視聴制限を設定するための視聴制限有り欄ｇ２〜ｇ８欄、全コンテンツに対して対象クライアントの視聴制限を設定する全コンテンツ視聴制限有り欄ｇ９、暗証番号を変更するための暗証番号変更欄ｇ１０、視聴制限設定を一時解除するための一時解除欄ｇ１１が設けられている。ここで、視聴制限有り欄ｇ２〜ｇ８は、対象クライアントの視聴制限レベルを設定するものである。クライアント側で視聴制限レベルが設定されていると、その視聴レベル未満のコンテンツはクライアントで視聴できるものの、視聴レベル以上のコンテンツは視聴できなくなる。
【０００５】
図２８に示すステップＳ３０２では、制御部は操作部の上下キーに対して入力操作があるか否かを判断し、入力操作がある場合にはステップＳ３０３に移行して、入力操作がない場合にはその状態で待機する。
ステップＳ３０３では、制御部は上下キーに対する入力操作によって選択された欄ｇ１〜ｇ１１が他の欄ｇ１〜ｇ１１とは強調された表示となるように、表示制御部を制御する。
【０００６】
ステップＳ３０４では、制御部は操作部のＲＥＴＵＲＮキーに対して入力操作があるか否かを判断し、入力操作がある場合には視聴制限設定を終了し、入力操作がない場合にはステップＳ３０５に移行する。
【０００７】
ステップＳ３０５では、制御部は操作部のＳＥＴキーあるいはＥＮＴＥＲキーに対して入力操作があるか否かを判断し、入力操作がない場合にはステップＳ３０１に移行して、入力操作がない場合にはステップＳ３０６に移行する。
【０００８】
ステップＳ３０６では、制御部はＳＥＴキーあるいはＥＮＴＥＲキーの入力時に選択されていた欄が視聴制限無し欄ｇ１であったか否かを判断し、視聴制限無し欄ｇ１であった場合はステップＳ３０７に移行して、視聴制限無し欄ｇ１でなかった場合はステップＳ３０８に移行する。
【０００９】
ステップＳ３０７では、制御部は対象クライアントが視聴制限無しであることを記憶し、視聴制限設定を終了する。
【００１０】
ステップＳ３０８では、制御部はＳＥＴキーあるいはＥＮＴＥＲキーの入力時に選択されていた欄が視聴制限有り欄ｇ２〜ｇ８の何れかであったか否かを判断し、視聴制限有り欄ｇ２〜ｇ８の何れかであった場合はステップＳ３１１に移行して、視聴制限有り欄ｇ２〜ｇ８の何れかでもなかった場合はステップＳ３０９に移行する。
【００１１】
ステップＳ３０９では、制御部はＳＥＴキーあるいはＥＮＴＥＲキーの入力時に選択されていた欄が全コンテンツ視聴制限有り欄ｇ９であったか否かを判断し、全コンテンツ視聴制限有り欄ｇ９であった場合はステップＳ３１１に移行して、全コンテンツ視聴制限有り欄ｇ９でなかった場合はステップＳ３１０に移行する。
【００１２】
ステップＳ３１０では、制御部はＳＥＴキーあるいはＥＮＴＥＲキーの入力時に選択されていた欄が暗証番号変更欄ｇ１０であったか否かを判断し、暗証番号変更欄ｇ１０であった場合はステップＳ３１１に移行して、暗証番号変更欄ｇ１０でなかった場合は一時解除欄ｇ１１が選択されていたとしてステップＳ３１２に移行する。
【００１３】
ステップＳ３１１では、制御部は暗証番号設定を実行した後に視聴制限設定を終了する。
ステップＳ３１２では、制御部は対象クライアントにおける視聴制限が一時解除であることを記憶して、視聴制限設定を終了する。この視聴制限設定時においては、視聴制限解除用の暗証番号も設定される場合もある。
【特許文献１】特開平９−２１４９３５号公報
【特許文献２】特開２００３−１３１７５１号公報
【発明の開示】
【発明が解決しようとする課題】
【００１４】
しかしながら、上記のネットワーク再生システムであると、クライアント毎に対してのみ視聴制限が設定できるものであるために、それだけではユーザの要望に応じられるものではなかった。
さらに、サーバ内のコンテンツリストはネットワーク上のいずれのクライアントからでも閲覧可能であるために、あるクライアントで視聴制限されたコンテンツであっても、そのタイトル等がコンテンツリストによって把握することができてしまい、教育上好ましくないコンテンツがサーバ内に存在していることが把握しやすい状況であった。
【００１５】
本発明の課題は、コンテンツの視聴制限時におけるユーザビリティを向上させることである。
【課題を解決するための手段】
【００１６】
請求項１記載の発明におけるネットワーク再生システムは、
コンテンツの再生データを再生する複数の再生装置と、
前記再生データを記憶するとともに、当該再生データを前記複数の再生装置のそれぞれに出力するサーバとを有し、
前記サーバ及び前記再生装置の少なくとも一方の機器は、
前記サーバ内のコンテンツに対して視聴制限を設定する視聴制限設定部を備え、
前記視聴制限設定部は、
前記複数の再生装置から少なくとも１つを選択するとともに、選択された再生装置に関連するように、前記サーバ内のコンテンツ群から、コンテンツ毎、所定のグループ毎のいずれかで前記コンテンツを選択する選択部と、
前記選択部で選択されたコンテンツに対して、当該コンテンツと関連付けられた前記再生装置での視聴制限を設定するとともに、他の機器からのコンテンツリスト表示要求に対して非表示とする表示制限を設定する設定部とを備えることを特徴としている。
【００１７】
請求項２記載の発明は、請求項１記載のネットワーク再生システムにおいて、
前記設定部は、前記コンテンツの視聴可能時刻を設定可能であることを特徴とする。
【００１８】
請求項３記載の発明は、請求項１又は２記載のネットワーク再生システムにおいて、
前記設定部は、前記選択部で選択された前記再生装置に対する視聴可能時刻を設定可能であることを特徴としている。
【発明の効果】
【００１９】
本発明によれば、選択されたコンテンツに対して、当該コンテンツと関連付けられた再生装置での視聴制限が設定されるだけでなく、表示制限が設定されるので、他の機器でサーバ内のコンテンツリストを視聴したとしても視聴制限が設定されたコンテンツは表示されないようにすることができる。これにより、視聴制限が設定されたコンテンツの秘密保持性を確保することができる。
そして、複数の再生装置から少なくとも１つ選択されると、選択された再生装置に関連するように、サーバ内のコンテンツ群から、コンテンツ毎、所定のグループ毎のいずれかでコンテンツが選択されるので、所定のグループ毎に視聴制限を設定することも可能となる。
これらのことにより、コンテンツの視聴制限時におけるユーザビリティを向上させることができる。
【００２０】
また、視聴制限設定時には、コンテンツの視聴可能時刻や、選択部で選択された再生装置に対する視聴可能時刻をも設定可能であるので、視聴制限のバリエーションを増やすことができる。
【発明を実施するための最良の形態】
【００２１】
以下、図面を参照しつつ、本発明に係る実施形態について説明する。図１は、本実施形態のネットワーク再生システム１を示す説明図である。図１に示すように、ネットワーク再生システム１には、コンテンツの再生データを再生する複数の再生装置２と、再生データを記憶するとともに、当該再生データを複数の再生装置２のそれぞれに出力するサーバＳと、サーバＳから出力された再生データを送り先となる再生装置に割り振るルータ４とが備えられている。なお、本実施形態では、複数の再生装置２のうち、一台の再生装置２にはＤＶＤ再生装置３が接続されている場合について説明する。
【００２２】
図２は、再生装置２の概略構成を表すブロック図である。図２に示すように、再生装置２には、各種指示が入力される操作部５と、操作部５に入力された指示（コントロールデータ）をサーバＳに送信するとともに、ルータ４を介してサーバＳから入力された再生データを受信する通信部６と、通信部６で受信した再生データを復号化するデコーダ７と、デコーダ７により復号化された再生データのうち、音楽データを受信し、再生するＤＩＲ（デジタルインターフェイスレシーバ）８と、デコーダ７により復号化された再生データのうち、映像データを受信し、再生するＶＩＤＥＯ制御部９と、操作部５に対する指示に基づいてＤＩＲ８、ＶＩＤＥＯ制御部９及び通信部６を制御する制御部１０と、種々の情報を表示する表示部１１と、制御部１０の制御に基づいて表示部１１を制御する表示制御マイコン１２と、ＤＩＲ８からの出力信号に対して音声処理を施すオーディオＤＳＰ１３と、オーディオＤＳＰ１３から出力された音声信号を増幅するアンプ部１４と、アンプ部１４により増幅された音声信号を出力するスピーカ１５とが設けられている。
【００２３】
操作部５は、例えば再生装置２本体に設けられた操作キーや、リモコンの操作キーなどである。操作部５に入力される各種指示には、例えば、再生指示、一時停止指示、サーバＳ内にある複数のコンテンツの再生データの一覧を表示するためのコンテンツリスト表示指示、コンテンツリスト内の再生データを選択するためのコンテンツ選択指示、暗証番号を入力するための暗証番号入力指示、視聴制限対象となる再生装置を複数の再生装置の中から少なくとも１つ選択する再生装置選択指示、視聴制限対象として選択された再生装置に関連するように、サーバＳ内のコンテンツ群から、コンテンツ毎、所定のグループ毎、全コンテンツの何れかで視聴制限対象となるコンテンツを選択する視聴制限コンテンツ選択指示、視聴制限対象に対する視聴制限を設定するための視聴制限設定指示、視聴制限の設定を開始するための視聴制限設定開始指示などが挙げられる。
【００２４】
そして、操作部５の各操作キーには、例えば、再生指示用のＰＬＡＹキー、一時停止指示用のＳＴＯＰキー、コンテンツリスト表示指示用の表示キー、コンテンツ選択指示や、再生装置選択指示、視聴制限コンテンツ選択指示、視聴制限設定指示用の上下左右キー、暗証番号入力指示用の数字キー、視聴制限設定開始指示用のＳＥＴＵＰキー、各指示確定用のＳＥＴキー、ＥＮＴＥＲキー、前の指示に戻るためのＲＥＴＵＲＮキーが設けられている。このように操作部５に対して再生装置選択指示や視聴制限コンテンツ指示が入力可能であるので、この操作部５が本発明に係る選択部である。
【００２５】
通信部６には、ルータ４に接続される入出力端子６１と、制御部１０の制御に基づいて入出力端子６１により各種データ（コントロールデータや、再生データ）を通信させるＬＡＮコントローラ６２とが設けられている。
【００２６】
デコーダ７は、通信部６で受信した再生データを復号化する際に、当該再生データを音楽データと映像データとに分類し、音楽データをＤＩＲ８に出力して映像データをＶＩＤＥＯ制御部９に出力するようになっている。
【００２７】
ＤＩＲ８は、デコーダ７を介して入力されたコントロールデータに基づいて音声データを再生し、オーディオＤＳＰ１３に出力する。
ＶＩＤＥＯ制御部９は、制御部１０からのコントロールデータに基づいて映像データを再生し、外部機器であるモニタＭに出力する。
【００２８】
制御部１０は、ＣＰＵ、ＲＡＭ、ＲＯＭなどから構成されていて、操作部５からの指示に基づきＣＰＵがＲＯＭ内の制御プログラムをＲＡＭに展開・実行することで各部を制御するようになっている。
【００２９】
具体的には、制御部１０は、操作部５からコンテンツリスト表示指示が入力されると、通信部６を制御してコンテンツリスト取得指示をサーバＳに出力する。これに伴ってサーバＳからコンテンツリストが出力されて、通信部６で受信すると、制御部１０はＶＩＤＥＯ制御部９を制御してモニタＭにコンテンツリストを表示させる。
【００３０】
また、制御部１０は、操作部５からコンテンツ選択指示が入力されると、通信部６を制御してコンテンツ特定指示をサーバＳに出力する。
【００３１】
そして、制御部１０は、操作部５から特定されたコンテンツに対して再生指示が入力されると、通信部６を制御して、再生指示をサーバＳに出力した後、ＤＩＲ８及びＶＩＤＥＯ制御部９を制御して、サーバＳから入力された再生データを再生する。
【００３２】
また、制御部１０は、再生後に操作部５から一時停止指示が入力されると、通信部６を制御して、一時停止指示とともに一時停止情報をサーバＳに出力する。ここで、一時停止情報には、一時停止位置情報や、コンテンツ識別情報などが含まれている。一時停止位置情報は、一時停止時における時間情報である。また、コンテンツ識別情報は、コンテンツを識別するための情報であり、例えば、カテゴリ（ＭＯＶＩＥ、ＭＵＳＩＣ、ＰＨＯＴＯ）、コンテンツ名、ファイル形式などからなる。
【００３３】
また、制御部１０は、操作部５から再生装置選択指示が入力されると、選択された再生装置２を視聴制限対象の候補として設定する。
【００３４】
そして、制御部１０は、操作部５から視聴制限コンテンツ選択指示が入力されると、選択されたコンテンツを視聴制限対象の候補として設定する。
【００３５】
また、制御部１０は、視聴制限再生装置選択指示若しくは視聴制限コンテンツ選択指示が入力された後に、操作部５から視聴制限設定指示が入力されると、視聴制限候補として選択された再生装置若しくはコンテンツに対して、視聴制限設定を施して、その旨を視聴制限情報としてサーバＳに出力する。
【００３６】
ここで、視聴制限設定指示では、再生装置に対する視聴制限の有無、視聴制限レベル、全コンテンツに対しての視聴制限、暗証番号変更、制限時間などの設定データが設定されるようになっている。ここで、視聴制限有りとして設定された場合には、制御部１０は、対象再生装置２と対象コンテンツとを関連付けて、他の設定データを設定するとともに、対象再生装置２以外の機器（他の再生装置２やサーバＳ）からのコンテンツリスト表示要求に対して非表示とする表示制限を設定する。つまり、制御部１０が本発明に係る設定部である。これら設定部としての制御部１０と、選択部としての操作部５とが本発明に係る視聴制限設定部を構成している。
【００３７】
図３は、サーバＳの概略構成を表すブロック図である。図３に示すように、サーバＳには、複数のコンテンツの再生データを記憶する記憶部２０と、複数の再生装置２それぞれの通信部６と通信する通信部２１と、記憶部２０内の再生データを読み出し、通信部２１から出力させる読出部２２と、複数の再生装置２それぞれの電源状態を検出する検出部２３と、通信部２１に入力された操作部５からの指示及び検出部２３の検出結果に基づいて読出部２２及び通信部２１を制御する制御部２４とが設けられている。
【００３８】
制御部２４は、ＣＰＵ、ＲＡＭ、ＲＯＭなどから構成されていて、通信部２１に入力された指示に基づきＣＰＵがＲＯＭ内の制御プログラムをＲＡＭに展開・実行することで各部を制御するようになっている。
【００３９】
制御部２４は、通信部２１にコンテンツリスト取得指示が入力されると、記憶部２０内の全コンテンツの再生データリストを作成し、通信部２１を制御して、コンテンツリスト取得指示を出力した再生装置２に出力する。なお、この際、表示制限が設定されているコンテンツに対しては、当該コンテンツに関連付けられた再生装置２以外では、表示されないようにコンテンツリストを作成する。
【００４０】
また、制御部２４は、通信部２１にコンテンツ特定指示が入力されると、そのコンテンツの再生データを記憶部２０内から選択し、再生対象として認識する。
【００４１】
制御部２４は、通信部２１に再生指示が入力されると、読出部２２及び通信部２１を制御して、記憶部２０内の再生対象となる再生データを先頭から読み出させながら、再生指示を出力した再生装置２に出力する。
【００４２】
制御部２４は、通信部２１に一時停止指示及び一時停止情報が入力されると、読出部２２及び通信部２１を制御して、再生データの読み出しを停止させて、複数の再生装置のうち、検出部２３の検出結果が電源ＯＮである再生装置２に一時停止情報を出力する。この際、制御部２４は入力された一時停止情報をＲＡＭに記憶させるようになっている。
【００４３】
次に、本実施形態の作用について説明する。
まず、視聴制限設定時における全体の流れについて説明する。図４は視聴制限設定時の全体構成を表す説明図である。この図４に示すように、まずは対象の候補となる再生装置２が選択される。その後、視聴制限の対象候補が再生装置２自体であるか、コンテンツであるかが決定される。視聴制限の対象候補がコンテンツである場合にはサーバＳ内のコンテンツ群の中から、所定のグループ毎若しくはコンテンツ毎に視聴制限が設定されるようになっている。具体的に、コンテンツ群には、ＭＯＶＩＥ、ＭＵＳＩＣ、ＰＨＯＴＯの３つの区分に分類されたコンテンツが存在している。ＭＯＶＩＥのコンテンツ群には、例えばジャンル毎、シリーズ毎という具合に所定のグループが階層的に分類されていて、最下層には各コンテンツ単体が存在している。ＭＵＳＩＣのコンテンツ群には、例えばジャンル毎、アーティスト毎、アルバム毎という具合に所定のグループが階層的に分類されていて、最下層には各コンテンツ単体が存在している。ＰＨＯＴＯのコンテンツ群には、例えばアルバム毎にグループ化が施されていて、各グループ内に各コンテンツ単体が存在している。そして、視聴制限の対象候補が決定すると、視聴制限の有無が決定されて、視聴制限がある場合には暗証番号が入力される。
【００４４】
以下、各制御工程について具体的に説明する。
図５は、検索対象候補の選択時における制御工程を表したフローチャートである。図５に示すように、ステップＳ１では、制御部１０は操作部５のＳＥＴＵＰキーに対して入力操作があったか否かを判断し、入力操作があった場合にはステップＳ２に移行して、入力操作がない場合にはその状態で待機する。
【００４５】
ステップＳ２では、制御部１０はＶＩＤＥＯ制御部９を制御してモニタＭ上に再生装置２の選択画面（図６参照）を表示させる。図６の選択画面Ｄ１では、リビング、キッチン、寝室、応接間、子供部屋、和室等にある再生装置２を選択できるようになっている。
【００４６】
そして図５に示すように、ステップＳ３では、制御部１０は、操作部５の上下キーに対して入力操作があったか否かを判断し、上下キーの入力がない場合にはステップＳ５に移行して、入力がある場合にはステップＳ４に移行する。
【００４７】
ステップＳ４では、制御部１０は、上下キーに対する入力操作に伴って、ＶＩＤＥＯ制御部９を制御して、選択された再生装置２を強調して表示させる。例えば、図６の選択画面Ｄ１では、子供部屋の再生装置が選択されているために、子供部屋欄が強調表示されている。
【００４８】
図５に示すように、ステップＳ５では、制御部１０は、ＳＥＴキー或いはＥＮＴＥＲキーに対して入力操作があったか否かを判断し、入力操作がない場合にはステップＳ２に移行して、入力操作がある場合にはステップＳ６に移行する。
【００４９】
ステップＳ６では、制御部１０はＶＩＤＥＯ制御部９を制御してモニタＭ上に視聴制限の対象候補の選択画面（図７参照）を表示させる。図７の選択画面Ｄ２では、視聴制限の対象候補として再生装置２自体若しくはコンテンツを選択できるようになっている。
【００５０】
図５に示すようにステップＳ７では、制御部１０は、操作部５の上下キーに対して入力操作があったか否かを判断し、上下キーの入力がない場合にはステップＳ９に移行して、入力がある場合にはステップＳ８に移行する。
【００５１】
ステップＳ８では、制御部１０は、上下キーに対する入力操作に伴って、ＶＩＤＥＯ制御部９を制御して、選択された視聴制限の対象候補を強調して表示させる。例えば、図７の選択画面Ｄ２対象候補としてコンテンツが選択されている場合を表している。
【００５２】
図５に示すように、ステップＳ９では、制御部１０は、ＳＥＴキー或いはＥＮＴＥＲキーに対して入力操作があったか否かを判断し、入力操作がない場合にはステップＳ６に移行して、入力操作がある場合にはステップＳ１０に移行する。
【００５３】
ステップＳ１０では、制御部１０は対象候補が再生装置２であるか否かを判断し、再生装置である場合にはステップＳ１７に移行し、再生装置でない場合にはステップＳ１１に移行する。
【００５４】
ステップＳ１１では、制御部１０はＶＩＤＥＯ制御部９を制御してモニタＭ上にサーバＳ内のコンテンツ群におけるカテゴリの選択画面（図８参照）を表示させる。図８の選択画面Ｄ３では、ＭＯＶＩＥ、ＭＵＳＩＣ、ＰＨＯＴＯの各カテゴリが選択できるようになっている。
【００５５】
図５に示すようにステップＳ１２では、制御部１０は操作部５の上下キーに対して入力操作があったか否かを判断し、上下キーの入力がない場合にはステップＳ１４に移行して、入力がある場合にはステップＳ１３に移行する。
【００５６】
ステップＳ１３では、制御部１０は上下キーに対する入力操作に伴って、ＶＩＤＥＯ制御部９を制御して、選択されたカテゴリを強調して表示させる。例えば、図８の選択画面Ｄ３ではＭＯＶＩＥが選択されている場合を表している。
【００５７】
図５に示すように、ステップＳ１４では、制御部１０はＳＥＴキーに対して入力操作があったか否かを判断し、入力操作がない場合にはステップＳ１５に移行して、入力操作がある場合にはステップＳ１９に移行する。
【００５８】
ステップＳ１５では、制御部１０はＥＮＴＥＲキーに対して入力操作があったか否かを判断し、入力操作がない場合にはステップＳ１６に移行して、入力操作がある場合には選択中におけるカテゴリ内のコンテンツ群を対象候補として決定し、ステップＳ１７に移行する。
【００５９】
ステップＳ１６では、制御部１０はＲＥＴＵＲＮキーに対して入力操作があったか否かを判断し、入力操作がない場合にはステップＳ１１に移行して、入力操作がある場合にはステップＳ２移行する。
【００６０】
ステップＳ１７では、制御部１０は視聴制限設定を実行する。この際、制御部１０は、ステップＳ１０により再生装置が対象候補として決定されている場合には再生装置に対する視聴制限設定を実行し、ステップＳ１５によりカテゴリ内のコンテンツ群が対象候補として決定されている場合には当該コンテンツ群に対する視聴制限設定を実行する。
【００６１】
ステップＳ１８では、制御部１０は視聴制限設定により決定した設定データを、通信部６を制御してサーバＳに出力させて、終了する。
【００６２】
図９に示すようにステップＳ１９では、制御部１０はカテゴリとしてＭＯＶＩＥが選択されているか否かを判断し、選択されている場合にはステップＳ２０に移行して、選択されていない場合にはステップＳ４０に移行する。
【００６３】
ステップＳ２０では、制御部１０はＶＩＤＥＯ制御部９を制御してモニタＭ上にＭＯＶＩＥ内のコンテンツ群のジャンルの選択画面（図１０参照）を表示させる。図１０の選択画面Ｄ５では、アクション、アニメーション、コメディ、サスペンス、ドラマ等の各ジャンルが選択できるようになっている。
【００６４】
図９に示すように、ステップＳ２１では、制御部１０は操作部５の上下キーに対して入力操作があったか否かを判断し、上下キーの入力がない場合にはステップＳ２３に移行して、入力がある場合にはステップＳ２２に移行する。
【００６５】
ステップＳ２２では、制御部１０は上下キーに対する入力操作に伴って、ＶＩＤＥＯ制御部９を制御して、選択されたジャンルを強調して表示させる。例えば、図１０の選択画面Ｄ５ではアニメーションが選択されている場合を表している。
【００６６】
図９に示すように、ステップＳ２３では、制御部１０はＳＥＴキーに対して入力操作があったか否かを判断し、入力操作がない場合にはステップＳ２４に移行して、入力操作がある場合にはステップＳ２６に移行する。
【００６７】
ステップＳ２４では、制御部１０はＥＮＴＥＲキーに対して入力操作があったか否かを判断し、入力操作がない場合にはステップＳ２５に移行して、入力操作がある場合には選択中におけるジャンル内のコンテンツ群を対象候補として決定し、ステップＳ３８に移行する。
【００６８】
ステップＳ２５では、制御部１０はＲＥＴＵＲＮキーに対して入力操作があったか否かを判断し、入力操作がない場合にはステップＳ２０に移行して、入力操作がある場合にはステップＳ１１移行する。
【００６９】
ステップＳ２６では、制御部１０はＶＩＤＥＯ制御部９を制御してモニタＭ上にジャンル内のコンテンツ群のシリーズの選択画面（図１１参照）を表示させる。図１１の選択画面Ｄ６では、「ア△△マン」、「イ××××」、「エ□□□□」、「ク▽▽ちゃん」、「ド■■■■」等の各シリーズが選択できるようになっている。
【００７０】
図９に示すように、ステップＳ２７では、制御部１０は操作部５の上下キーに対して入力操作があったか否かを判断し、上下キーの入力がない場合にはステップＳ２９に移行して、入力がある場合にはステップＳ２８に移行する。
【００７１】
ステップＳ２８では、制御部１０は上下キーに対する入力操作に伴って、ＶＩＤＥＯ制御部９を制御して、選択されたシリーズを強調して表示させる。例えば、図１１の選択画面Ｄ６では「ク▽▽ちゃん」が選択されている場合を表している。
【００７２】
図９に示すように、ステップＳ２９では、制御部１０はＳＥＴキーに対して入力操作があったか否かを判断し、入力操作がない場合にはステップＳ３０に移行して、入力操作がある場合にはステップＳ３２に移行する。
【００７３】
ステップＳ３０では、制御部１０はＥＮＴＥＲキーに対して入力操作があったか否かを判断し、入力操作がない場合にはステップＳ３１に移行して、入力操作がある場合には選択中におけるシリーズ内のコンテンツ群を対象候補として決定し、ステップＳ３８に移行する。
【００７４】
ステップＳ３１では、制御部１０はＲＥＴＵＲＮキーに対して入力操作があったか否かを判断し、入力操作がない場合にはステップＳ２６に移行して、入力操作がある場合にはステップＳ２０移行する。
【００７５】
ステップＳ３２では、制御部１０はＶＩＤＥＯ制御部９を制御してモニタＭ上にシーン内のコンテンツの選択画面（図１２参照）を表示させる。図１２の選択画面Ｄ７では、「ク▽▽ちゃん  ボーイズ」、「ク▽▽ちゃん  ロードショー」、「ク▽▽ちゃん  ＴＶ版傑作選」、「ク▽▽ちゃん  スペシャル」、「ク▽▽ちゃん  戦国大合戦」等の各コンテンツが選択できるようになっている。
【００７６】
図９に示すように、ステップＳ３３では、制御部１０は操作部５の上下キーに対して入力操作があったか否かを判断し、上下キーの入力がない場合にはステップＳ３５に移行して、入力がある場合にはステップＳ３４に移行する。
【００７７】
ステップＳ３４では、制御部１０は上下キーに対する入力操作に伴って、ＶＩＤＥＯ制御部９を制御して、選択されたコンテンツを強調して表示させる。例えば、図１２の選択画面Ｄ７では、「ク▽▽ちゃん  ボーイズ」が選択されている場合を表している。
【００７８】
図９に示すように、ステップＳ３５では、制御部１０はＳＥＴキーに対して入力操作があったか否かを判断し、入力操作がない場合にはステップＳ３６に移行して、入力操作がある場合には、選択中のコンテンツを対象候補として決定し、ステップＳ３８に移行する。
【００７９】
ステップＳ３６では、制御部１０はＥＮＴＥＲキーに対して入力操作があったか否かを判断し、入力操作がない場合にはステップＳ３７に移行して、入力操作がある場合には選択中におけるシリーズ内のコンテンツを対象候補として決定し、ステップＳ３８に移行する。
【００８０】
ステップＳ３７では、制御部１０はＲＥＴＵＲＮキーに対して入力操作があったか否かを判断し、入力操作がない場合にはステップＳ３２に移行して、入力操作がある場合にはステップＳ２６移行する。
【００８１】
ステップＳ３８では、制御部１０は視聴制限設定を実行する。この際、制御部１０は、ステップＳ２４によりジャンル内のコンテンツ群が対象候補として決定されている場合にはジャンル内のコンテンツ群に対する視聴制限設定を実行し、ステップＳ３０によりシリーズ内のコンテンツ群が対象候補として決定されている場合にはシリーズ内のコンテンツ群に対する視聴制限設定を実行し、ステップＳ３５，３６によりコンテンツが対象候補として決定されている場合には当該コンテンツに対する視聴制限設定を実行する。
ステップＳ３９では、制御部１０は視聴制限設定により決定した設定データを、通信部６を制御してサーバＳに出力させて、終了する。
【００８２】
図１４に示すようにステップＳ４０では、制御部１０はカテゴリとしてＭＵＳＩＣが選択されているか否かを判断し、選択されている場合にはステップＳ４１に移行して、選択されていない場合にはステップＳ４４に移行する。
【００８３】
ステップＳ４１では、制御部１０はＶＩＤＥＯ制御部９を制御してモニタＭ上にＭＵＳＩＣ内のコンテンツ群のアルバムの選択画面を表示させる。
【００８４】
ステップＳ４２では、制御部１０は操作部５の上下キーに対して入力操作があったか否かを判断し、上下キーの入力がない場合にはステップＳ４４に移行して、入力がある場合にはステップＳ４３に移行する。
【００８５】
ステップＳ４３では、制御部１０は上下キーに対する入力操作に伴って、ＶＩＤＥＯ制御部９を制御して、選択されたアルバムを強調して表示させる。
【００８６】
ステップＳ４４では、制御部１０はＳＥＴキーに対して入力操作があったか否かを判断し、入力操作がない場合にはステップＳ４５に移行して、入力操作がある場合にはステップＳ４７に移行する。
【００８７】
ステップＳ４５では、制御部１０はＥＮＴＥＲキーに対して入力操作があったか否かを判断し、入力操作がない場合にはステップＳ４６に移行して、入力操作がある場合には選択中におけるアルバム内のコンテンツ群を対象候補として決定し、ステップＳ５３に移行する。
【００８８】
ステップＳ４６では、制御部１０はＲＥＴＵＲＮキーに対して入力操作があったか否かを判断し、入力操作がない場合にはステップＳ４１に移行して、入力操作がある場合にはステップＳ１１移行する。
【００８９】
ステップＳ４７では、制御部１０はＶＩＤＥＯ制御部９を制御してモニタＭ上にアルバム内のコンテンツの選択画面を表示させる。
【００９０】
ステップＳ４８では、制御部１０は操作部５の上下キーに対して入力操作があったか否かを判断し、上下キーの入力がない場合にはステップＳ５０に移行して、入力がある場合にはステップＳ４９に移行する。
【００９１】
ステップＳ４９では、制御部１０は上下キーに対する入力操作に伴って、ＶＩＤＥＯ制御部９を制御して、選択されたコンテンツを強調して表示させる。
【００９２】
ステップＳ５０では、制御部１０はＳＥＴキーに対して入力操作があったか否かを判断し、入力操作がない場合にはステップＳ５１に移行して、入力操作がある場合には選択中のコンテンツを対象候補として決定し、ステップＳ５３に移行する。
【００９３】
ステップＳ５１では、制御部１０はＥＮＴＥＲキーに対して入力操作があったか否かを判断し、入力操作がない場合にはステップＳ４６に移行して、入力操作がある場合には選択中のコンテンツを対象候補として決定し、ステップＳ５３に移行する。
【００９４】
ステップＳ５２では、制御部１０はＲＥＴＵＲＮキーに対して入力操作があったか否かを判断し、入力操作がない場合にはステップＳ４７に移行して、入力操作がある場合にはステップＳ４１移行する。
【００９５】
ステップＳ５３では、制御部１０は視聴制限設定を実行する。この際、制御部１０は、ステップＳ４５によりアルバム内のコンテンツ群が対象候補として決定されている場合にはアルバム内のコンテンツ群に対する視聴制限設定を実行し、ステップＳ５０，５１によりコンテンツが対象候補として決定されている場合には当該コンテンツに対する視聴制限設定を実行する。
ステップＳ５４では、制御部１０は視聴制限設定により決定した設定データを、通信部６を制御してサーバＳに出力させて、終了する。
【００９６】
図１４に示すように、ステップＳ５５では、制御部１０はＶＩＤＥＯ制御部９を制御してモニタＭ上にＰＨＯＴＯ内のコンテンツ群のアルバムの選択画面を表示させる。
【００９７】
ステップＳ５６では、制御部１０は操作部５の上下キーに対して入力操作があったか否かを判断し、上下キーの入力がない場合にはステップＳ５８に移行して、入力がある場合にはステップＳ５７に移行する。
【００９８】
ステップＳ５７では、制御部１０は上下キーに対する入力操作に伴って、ＶＩＤＥＯ制御部９を制御して、選択されたアルバムを強調して表示させる。
【００９９】
ステップＳ５８では、制御部１０はＳＥＴキーに対して入力操作があったか否かを判断し、入力操作がない場合にはステップＳ５９に移行して、入力操作がある場合にはステップＳ６１に移行する。
【０１００】
ステップＳ５９では、制御部１０はＥＮＴＥＲキーに対して入力操作があったか否かを判断し、入力操作がない場合にはステップＳ６０に移行して、入力操作がある場合には選択中におけるアルバム内のコンテンツ群を対象候補として決定し、ステップＳ６７に移行する。
【０１０１】
ステップＳ６０では、制御部１０はＲＥＴＵＲＮキーに対して入力操作があったか否かを判断し、入力操作がない場合にはステップＳ５５に移行して、入力操作がある場合にはステップＳ１１移行する。
【０１０２】
ステップＳ６１では、制御部１０はＶＩＤＥＯ制御部９を制御してモニタＭ上にＰＨＯＴＯカテゴリにおけるアルバム内のコンテンツの選択画面を表示させる。
【０１０３】
ステップＳ６２では、制御部１０は操作部５の上下キーに対して入力操作があったか否かを判断し、上下キーの入力がない場合にはステップＳ６４に移行して、入力がある場合にはステップＳ６３に移行する。
【０１０４】
ステップＳ６３では、制御部１０は上下キーに対する入力操作に伴って、ＶＩＤＥＯ制御部９を制御して、選択されたコンテンツを強調して表示させる。
【０１０５】
ステップＳ６４では、制御部１０はＳＥＴキーに対して入力操作があったか否かを判断し、入力操作がない場合にはステップＳ６５に移行して、入力操作がある場合には選択中のコンテンツを対象候補として決定し、ステップＳ６５に移行する。
【０１０６】
ステップＳ６５では、制御部１０はＥＮＴＥＲキーに対して入力操作があったか否かを判断し、入力操作がない場合にはステップＳ６６に移行して、入力操作がある場合には選択中のコンテンツを対象候補として決定し、ステップＳ６７に移行する。
【０１０７】
ステップＳ６６では、制御部１０はＲＥＴＵＲＮキーに対して入力操作があったか否かを判断し、入力操作がない場合にはステップＳ６１に移行して、入力操作がある場合にはステップＳ５５移行する。
【０１０８】
ステップＳ６７では、制御部１０は視聴制限設定を実行する。この際、制御部１０は、ステップＳ５９によりＰＨＯＴＯカテゴリにおけるアルバム内のコンテンツ群が対象候補として決定されている場合にはアルバム内のコンテンツ群に対する視聴制限設定を実行し、ステップＳ６４，６５によりコンテンツが対象候補として決定されている場合には当該コンテンツに対する視聴制限設定を実行する。
ステップＳ６８では、制御部１０は視聴制限設定により決定した設定データを、通信部６を制御してサーバＳに出力させて、終了する。
【０１０９】
次に、視聴制限設定時における制御工程について説明する。図１５に示すようにステップＳ６９では、制御部１０はＶＩＤＥＯ制御部９を制御してモニタＭ上に視聴制限設定の選択画面（図１６参照）を表示させる。図１６に示すように選択画面Ｄ８には、対象候補を視聴制限無しとするための視聴制限無し欄ｄ１、対象候補に対して視聴制限を設定するための視聴制限有り欄ｄ２〜ｄ８欄、対象候補が再生装置２である場合にサーバＳ内の全コンテンツに対して再生装置２の視聴制限を設定する全コンテンツ視聴制限有り欄ｄ９、暗証番号を変更するための暗証番号変更欄ｄ１０、視聴制限設定を一時解除するための一時解除ボタンｄ１１、視聴制限対象の視聴時間を設定する視聴時間設定欄ｄ１２が設けられている。ここで、視聴制限有り欄ｄ２〜ｄ８は、対象候補の視聴制限レベルを設定するものである。再生装置２側で視聴制限レベルが設定されていると、その視聴レベル未満のコンテンツは再生装置２で視聴できるものの、視聴レベル以上のコンテンツは視聴できなくなる。
【０１１０】
ステップＳ７０では、制御部１０は操作部５の上下キーに対して入力操作があったか否かを判断し、上下キーの入力が無い場合にはステップＳ７２に移行して、入力がある場合にはステップＳ７１に移行する。
【０１１１】
ステップＳ７１では、制御部１０は上下キーに対する入力操作に伴って、ＶＩＤＥＯ制御部９を制御して、選択された欄ｄ１〜ｄ１２を強調して表示させる。
【０１１２】
ステップＳ７２では、制御部１０はＲＥＴＵＲＮキーに対して入力操作があったか否かを判断し、入力操作がない場合にはステップＳ７６に移行して、入力操作がある場合にはステップＳ７３に移行する。
【０１１３】
ステップＳ７３では、制御部１０は再生装置２の視聴制限が選択中であるか否かを判断し、再生装置２に対してである場合にはステップＳ２に移行し、再生装置２以外に対してである場合にはステップＳ７４に移行する。
【０１１４】
ステップＳ７４では、制御部１０はＭＯＶＩＥのコンテンツの視聴制限が選択中であるか否かを判断し、ＭＯＶＩＥのコンテンツに対してである場合にはステップＳ３２に移行し、ＭＯＶＩＥのコンテンツ以外のコンテンツに対してである場合にはステップＳ７５に移行する。
【０１１５】
ステップＳ７５では、制御部１０はＭＵＳＩＣのコンテンツの視聴制限が選択中であるか否かを判断し、ＭＵＳＩＣのコンテンツに対してである場合にはステップＳ４７に移行し、ＰＨＯＴＯのコンテンツに対してである場合にはステップＳ６１に移行する。
【０１１６】
ステップＳ７６では、制御部１０はＳＥＴキー或いはＥＮＴＥＲキーに対して入力操作があったか否かを判断し、入力操作がない場合にはステップＳ６９に移行して、入力操作がある場合にはステップＳ７７に移行する。
【０１１７】
ステップＳ７７では、制御部１０はＳＥＴキーあるいはＥＮＴＥＲキーの入力時に選択されていた欄が視聴制限無し欄ｄ１であったか否かを判断し、視聴制限無し欄ｄ１であった場合はステップＳ７８に移行して、視聴制限無し欄ｄ１でなかった場合はステップＳ７９に移行する。
【０１１８】
ステップＳ７８では、制御部１０は対象候補が視聴制限無しであることを記憶し、視聴制限設定を終了する。
【０１１９】
ステップＳ７９では、制御部１０はＳＥＴキーあるいはＥＮＴＥＲキーの入力時に選択されていた欄が視聴制限有り欄ｄ２〜ｄ８の何れかであったか否かを判断し、視聴制限有り欄ｄ２〜ｄ８の何れかであった場合はステップＳ８３に移行して、視聴制限有り欄ｄ２〜ｄ８の何れかでもなかった場合はステップＳ８０に移行する。
【０１２０】
ステップＳ８０では、制御部１０はＳＥＴキーあるいはＥＮＴＥＲキーの入力時に選択されていた欄が全コンテンツ視聴制限有り欄ｄ９であったか否かを判断し、全コンテンツ視聴制限有り欄ｄ９であった場合はステップＳ８３に移行して、全コンテンツ視聴制限有り欄ｄ９でなかった場合はステップＳ８２に移行する。
【０１２１】
ステップＳ８２では、制御部１０はＳＥＴキーあるいはＥＮＴＥＲキーの入力時に選択されていた欄が暗証番号変更欄ｄ１０であったか否かを判断し、暗証番号変更欄ｄ１０であった場合はステップＳ８３に移行して、暗証番号変更欄ｄ１０でなかった場合はステップＳ８４に移行する。
【０１２２】
ステップＳ８３では、制御部１０は暗証番号設定を実行した後に視聴制限設定を終了する。
【０１２３】
ステップＳ８４では、制御部１０はＳＥＴキーあるいはＥＮＴＥＲキーの入力時に選択されていた欄が一時解除欄ｄ１１であったか否かを判断し、一時解除欄ｄ１１であった場合はステップＳ８５に移行して、一時解除欄ｄ１１でなかった場合は視聴時間設定欄ｄ１２が選択されていたとしてステップＳ８６に移行する。
【０１２４】
ステップＳ８５では、制御部１０は対象候補における視聴制限が一時解除であることを記憶して、視聴制限設定を終了する。
【０１２５】
ステップＳ８６では、制御部１０は対象候補における制限時間設定を実行した後に視聴制限設定を終了する。
【０１２６】
次に、暗証番号設定時における制御工程について説明する。図１７に示すようにステップＳ８７では、制御部１０はモニタＭに暗証番号設定画面が表示されるように、ＶＩＤＥＯ制御部９を制御する。図１８は暗証番号の設定画面の一例を表す説明図である。この図１８に示すように、設定画面Ｄ９には暗証番号表示欄ｄ１３が設けられていて、この暗証番号表示欄ｄ１３に入力された番号が表示されるようになっている。
【０１２７】
図１７に示すステップＳ８８では、制御部１０は数字キーのうち、０〜９キーのいずれかに対して入力操作があるか否かを判断し、入力操作がある場合にはステップＳ９０に移行して、入力操作がない場合にはステップＳ８９に移行する。
【０１２８】
ステップＳ８９では、制御部１０はＲＥＴＵＲＮキーに対して入力操作があるか否かを判断し、入力操作がある場合には暗証番号設定を終了し、入力操作がない場合にはステップＳ８８に移行する。
【０１２９】
ステップＳ９０では、制御部１０はステップＳ８８で入力された数字を４桁目の数字として記憶するともに、当該数字が暗証番号表示欄ｄ１３の４桁目に表示されるようにＶＩＤＥＯ制御部９を制御する。
【０１３０】
ステップＳ９１では、制御部１０は数字キーのうち、０〜９キーのいずれかに対して入力操作があるか否かを判断し、入力操作がある場合にはステップＳ９３に移行して、入力操作がない場合にはステップＳ９２に移行する。
【０１３１】
ステップＳ９２では、制御部はＲＥＴＵＲＮキーに対して入力操作があるか否かを判断し、入力操作がある場合には暗証番号設定を終了し、入力操作がない場合にはステップＳ９１に移行する。
【０１３２】
ステップＳ９３では、制御部１０はステップＳ９１で入力された数字を３桁目の数字として記憶するともに、当該数字が暗証番号表示欄ｄ１３の３桁目に表示されるようにＶＩＤＥＯ制御部９を制御する。
【０１３３】
ステップＳ９４では、制御部１０は数字キーのうち、０〜９キーのいずれかに対して入力操作があるか否かを判断し、入力操作がある場合にはステップＳ９６に移行して、入力操作がない場合にはステップＳ９５に移行する。
【０１３４】
ステップＳ９５では、制御部１０はＲＥＴＵＲＮキーに対して入力操作があるか否かを判断し、入力操作がある場合には暗証番号設定を終了し、入力操作がない場合にはステップＳ９４に移行する。
【０１３５】
ステップＳ９６では、制御部１０はステップＳ９４で入力された数字を２桁目の数字として記憶するともに、当該数字が暗証番号表示欄ｄ１３の２桁目に表示されるようにＶＩＤＥＯ制御部９を制御する。
【０１３６】
ステップＳ９７では、制御部１０は数字キーのうち、０〜９キーのいずれかに対して入力操作があるか否かを判断し、入力操作がある場合にはステップＳ９９に移行して、入力操作がない場合にはステップＳ９８に移行する。
【０１３７】
ステップＳ９８では、制御部１０はＲＥＴＵＲＮキーに対して入力操作があるか否かを判断し、入力操作がある場合には暗証番号設定を終了し、入力操作がない場合にはステップＳ９７に移行する。
【０１３８】
ステップＳ９９では、制御部１０はステップＳ９７で入力された数字を１桁目の数字として記憶するともに、当該数字が暗証番号表示欄ｄ１３の１桁目に表示されるようにＶＩＤＥＯ制御部９を制御する。
【０１３９】
ステップＳ１００では、制御部１０はＥＮＴＥＲキーに対して入力操作があるか否かを判断し、入力操作がある場合にはステップＳ１０２に移行し、入力操作がない場合にはステップＳ１０１に移行する。
【０１４０】
ステップＳ１０１では、制御部１０はＲＥＴＵＲＮキーに対して入力操作があるか否かを判断し、入力操作がある場合には暗証番号設定を終了し、入力操作がない場合にはステップＳ１００に移行する。
【０１４１】
ステップＳ１０２では、制御部１０は視聴制限設定で設定された視聴制限レベルを記憶する。この際、制御部１０は、対象再生装置２と対象コンテンツとを関連付けて、他の設定データを設定するとともに、対象再生装置２以外の機器（他の再生装置２やサーバＳ）からのコンテンツリスト表示要求に対して非表示とする表示制限を設定している。
ステップＳ１０３では、制御部は入力された４桁の暗証番号を記憶して終了する。
【０１４２】
次に制限時間設定時における制御工程について説明する。図１９に示すようにステップＳ１０４では、制御部１０はモニタＭに視聴制限時間設定画面が表示されるように、ＶＩＤＥＯ制御部９を制御する。図２０は視聴制限時間の設定画面の一例を表す説明図である。この図２０に示すように、設定画面Ｄ１０には視聴開始時間が入力される視聴開始時間欄ｄ１４、視聴開始分が入力される視聴開始分欄ｄ１５、視聴終了時間が入力される視聴終了時間欄ｄ１６、視聴終了分が入力される視聴終了分欄ｄ１７、視聴制限無しが指示される視聴制限無し欄ｄ１８が設けられている。
【０１４３】
図１９に示すステップＳ１０５では、制御部１０は上下左右キーに対して入力操作があるか否かを判断し、入力操作がある場合にはステップＳ１０６に移行して、入力操作がない場合にはステップＳ１０７に移行する。
【０１４４】
ステップＳ１０６では、制御部１０は上下左右キーに対する入力操作に伴って、ＶＩＤＥＯ制御部９を制御して、選択された欄ｄ１４〜ｄ１７を強調して表示させる。
【０１４５】
ステップＳ１０７では、制御部１０はＥＮＴＥＲキーに対して入力操作があったか否かを判断し、入力操作がない場合にはステップＳ１２１に移行して、入力操作がある場合にはステップＳ１０８に移行する。
【０１４６】
ステップＳ１０８では、制御部１０は視聴開始時間欄ｄ１４が選択されているか否かを判断し、視聴開始時間欄ｄ１４が選択されている場合にはステップＳ１０９に移行して、視聴開始時間欄ｄ１４が選択されていない場合にはステップＳ１１１に移行する。
【０１４７】
ステップＳ１０９では、制御部１０は上下キーに対して入力操作があるか否かを判断し、入力操作がある場合にはステップＳ１１０に移行して、入力操作がない場合にはステップＳ１０７に移行する。
【０１４８】
ステップＳ１１０では、制御部１０は上下キーに対する入力操作に伴って、ＶＩＤＥＯ制御部９を制御して、選択された視聴開始時間欄ｄ１４の値を変更して、表示させる。
【０１４９】
ステップＳ１１１では、制御部１０は視聴開始分欄ｄ１５が選択されているか否かを判断し、視聴開始分欄ｄ１５が選択されている場合にはステップＳ１１２に移行して、視聴開始分欄ｄ１５が選択されていない場合にはステップＳ１１４に移行する。
【０１５０】
ステップＳ１１２では、制御部１０は上下キーに対して入力操作があるか否かを判断し、入力操作がある場合にはステップＳ１１３に移行して、入力操作がない場合にはステップＳ１０７に移行する。
【０１５１】
ステップＳ１１３では、制御部１０は上下キーに対する入力操作に伴って、ＶＩＤＥＯ制御部９を制御して、選択された視聴開始分欄ｄ１５の値を変更して、表示させる。
【０１５２】
ステップＳ１１４では、制御部１０は視聴終了時間欄ｄ１６が選択されているか否かを判断し、視聴終了時間欄ｄ１６が選択されている場合にはステップＳ１１５に移行して、視聴終了時間欄ｄ１６が選択されていない場合にはステップＳ１１７に移行する。
【０１５３】
ステップＳ１１５では、制御部１０は上下キーに対して入力操作があるか否かを判断し、入力操作がある場合にはステップＳ１１６に移行して、入力操作がない場合にはステップＳ１０７に移行する。
【０１５４】
ステップＳ１１６では、制御部１０は上下キーに対する入力操作に伴って、ＶＩＤＥＯ制御部９を制御して、選択された視聴終了時間欄ｄ１６の値を変更して、表示させる。
【０１５５】
ステップＳ１１７では、制御部１０は視聴終了分欄ｄ１７が選択されているか否かを判断し、視聴終了分欄ｄ１７が選択されている場合にはステップＳ１１８に移行して、視聴終了分欄ｄ１７が選択されていない場合にはステップＳ１２０に移行する。
【０１５６】
ステップＳ１１８では、制御部１０は上下キーに対して入力操作があるか否かを判断し、入力操作がある場合にはステップＳ１１９に移行して、入力操作がない場合にはステップＳ１０７に移行する。
【０１５７】
ステップＳ１１９では、制御部１０は上下キーに対する入力操作に伴って、ＶＩＤＥＯ制御部９を制御して、選択された視聴終了分欄ｄ１７の値を変更して、表示させる。
【０１５８】
ステップＳ１２０では、制御部１０は設定されていた視聴制限時間を解除して、制限時間設定を終了する。
【０１５９】
ステップＳ１２１では、制御部１０はＲＥＴＵＲＮキーに対して入力操作があったか否かを判断し、入力操作がない場合にはステップＳ１０５に移行して、入力操作がある場合にはステップＳ１２２に移行する。
【０１６０】
ステップＳ１２２では、制御部１０は視聴開始時間、視聴開始分、視聴終了時間、視聴終了分等の設定された制限時間を記憶して、制限時間設定を終了する。
【０１６１】
これら一連の工程によって視聴制限が設定される。設定後においては、視聴制限が設定されたコンテンツに対して、視聴制限済みであることが分かるように視聴制限マークが表示される。例えば、シリーズに対して視聴制限が設定されている場合には図２１に示す選択画面Ｄ１１のようにシリーズ名（例えば「ク▽▽ちゃん」）の隣に視聴制限マークＫ及び視聴制限レベルＬが表示される。また、コンテンツに対して視聴制限が設定されている場合には図２２に示す選択画面Ｄ１２のようにコンテンツ名（例えば、「ク▽▽ちゃん  ボーイズ」、「ク▽▽ちゃん  ロードショー」、「ク▽▽ちゃん  戦国大合戦」）の隣に視聴制限マークＫ及び視聴制限レベルＬが表示される。また、資料制限時間が設定されている場合には図２３に示す選択画面Ｄ１３のように視聴制限対象（例えばク▽▽ちゃん）の隣に視聴制限時間が表示される。
【０１６２】
上記工程によって再生装置２からサーバＳに設定データが入力されると、サーバＳの制御部２４は各再生装置２の設定データを記憶する。ここで、視聴制限の設定された再生装置２で、視聴制限の設定されたコンテンツが再生中であった場合には、サーバＳの制御部２４は当該コンテンツの再生を停止させる。
【０１６３】
また、制御部２４は、操作部５からコンテンツリスト表示指示が入力されると、記憶部２０内で表示制限の設定されていないコンテンツの再生データリストを作成し、通信部２１を制御して、コンテンツリスト取得指示を出力した再生装置２に出力する。
その後、通信部２１にコンテンツ特定指示が入力されると、制御部２４は、そのコンテンツの再生データを記憶部２０内から選択し、再生対象として認識した後、再生プログラムを実行する。
なお、再生プログラムを実行する際、再生装置２の視聴可能時間から外れている場合には制御部２４は再生プログラムの実行を禁止する。
【０１６４】
以上のように本実施形態によれば、選択されたコンテンツに対して、当該コンテンツと関連付けられた再生装置２での視聴制限が設定されるだけでなく、表示制限が設定されるので、他の機器でサーバＳ内のコンテンツリストを視聴したとしても視聴制限が設定されたコンテンツは表示されないようにすることができる。これにより、視聴制限が設定されたコンテンツの秘密保持性を確保することができる。
そして、複数の再生装置２から少なくとも１つ選択されると、選択された再生装置に関連するように、サーバＳ内のコンテンツ群から、コンテンツ毎、所定のグループ毎のいずれかでコンテンツが選択されるので、所定のグループ毎に視聴制限を設定することも可能となる。
これらのことにより、コンテンツの視聴制限時におけるユーザビリティを向上させることができる。
【０１６５】
また、視聴制限設定時には、コンテンツの視聴可能時刻や、選択部で選択された再生装置２に対する視聴可能時刻をも設定可能であるので、視聴制限のバリエーションを増やすことができる。
【０１６６】
なお、本発明は上記実施形態に限らず適宜変更可能であるのは勿論である。
例えば、予め所定の再生装置２によって視聴制限が設定されていて、その視聴制限内容を他の再生装置２で変更する場合には、変更前に暗証番号の照合を実行させることが好ましい。具体的には、視聴制限設定が開始されると、モニタＭ上に図１８に示す選択画面Ｄ９が表示されていて、これを基に暗証番号が入力される。入力された暗証番号と、従前に登録されていた暗証番号とを制御部１０は照合し、一致した場合にのみ他の再生装置２での設定変更を可能とする。
【０１６７】
また、視聴制限設定時に予め他の再生装置２からの視聴制限変更を許可するか否かを設定していてもよい。この場合、例えば視聴制限の対象候補として再生装置２自体若しくはコンテンツを選択する際に、視聴制限許可設定も選択することができるようになっている（図２４参照）。図２４の選択画面Ｄ１４で、視聴制限許可設定が選択されると、モニタＭ上には視聴制限許可設定の対象を選択するための選択画面Ｄ１５が表示されて、これを基にして対象を選択する。その後、モニタＭ上には選択した対象の、他の再生装置２からの視聴制限設定変更可否を選択するための選択画面Ｄ１６が表示される（図２６参照）。これら一連の手順によって他の再生装置２からの視聴制限変更を可否が決定されることになる。
【０１６８】
また、本実施形態では再生装置２によって視聴制限が設定される場合について説明したが、サーバＳによって視聴制限が設定されるものであってもかまわない。
また、サーバＳと再生装置２との通信が確立されていないときに、再生装置２で視聴制限が設定された場合には、サーバＳとの通信が確立された後に、設定データをサーバＳに送信するようにすることが好ましい。
【０１６９】
また、再生装置２に対する視聴制限として、視聴制限時刻が設定されている場合には、当該制限時間となると電源がオフになるようにしてもよい。
【０１７０】
また、本実施形態では、再生装置２若しくはサーバＳ内のコンテンツに対して視聴制限が設定される場合について説明したが、ＤＶＤ再生装置３で再生されるＤＶＤ内のコンテンツに対しても視聴制限を設定してもよい。この場合、再生装置２から設定データがＤＶＤ再生装置３に転送されて、当該設定データを基にＤＶＤ再生装置３側でコンテンツの視聴制限を実行する。
【図面の簡単な説明】
【０１７１】
【図１】本実施形態のネットワーク再生システムを示す説明図である。
【図２】図１のネットワーク再生システムに備わる再生装置の概略構成を表すブロック図である。
【図３】図１のネットワーク再生システムに備わるサーバの概略構成を表すブロック図である。
【図４】図２の再生装置の制御工程の概略を表す説明図である。
【図５】図２の再生装置の制御工程を表すフローチャートである。
【図６】図２の再生装置でモニタに表示させる選択画面の一例を表す説明図である。
【図７】図２の再生装置でモニタに表示させる選択画面の一例を表す説明図である。
【図８】図２の再生装置でモニタに表示させる選択画面の一例を表す説明図である。
【図９】図２の再生装置の制御工程を表すフローチャートである。
【図１０】図２の再生装置でモニタに表示させる選択画面の一例を表す説明図である。
【図１１】図２の再生装置でモニタに表示させる選択画面の一例を表す説明図である。
【図１２】図２の再生装置でモニタに表示させる選択画面の一例を表す説明図である。
【図１３】図２の再生装置の制御工程を表すフローチャートである。
【図１４】図２の再生装置の制御工程を表すフローチャートである。
【図１５】図２の再生装置の制御工程を表すフローチャートである。
【図１６】図２の再生装置でモニタに表示させる選択画面の一例を表す説明図である。
【図１７】図２の再生装置の制御工程を表すフローチャートである。
【図１８】図２の再生装置でモニタに表示させる選択画面の一例を表す説明図である。
【図１９】図２の再生装置の制御工程を表すフローチャートである。
【図２０】図２の再生装置でモニタに表示させる選択画面の一例を表す説明図である。
【図２１】図２の再生装置でモニタに表示させる選択画面の一例を表す説明図である。
【図２２】図２の再生装置でモニタに表示させる選択画面の一例を表す説明図である。
【図２３】図２の再生装置でモニタに表示させる選択画面の一例を表す説明図である。
【図２４】図２の再生装置でモニタに表示させる選択画面の一例を表す説明図である。
【図２５】図２の再生装置でモニタに表示させる選択画面の一例を表す説明図である。
【図２６】従来の再生装置の制御工程を表すフローチャートである。
【図２７】従来の再生装置でモニタに表示させる選択画面の一例を表す説明図である。
【符号の説明】
【０１７２】
１      ネットワーク再生システム
２      再生装置
３      サーバ
４      ルータ
５      操作部（選択部、視聴制限設定部）
６      通信部
７      デコーダ
８      ＤＩＲ
９      ＶＩＤＥＯ制御部
１０      制御部（設定部、視聴制限設定部）
１１      表示部
１２      表示制御マイコン
１３      オーディオＤＳＰ
１４      アンプ部
１５      スピーカ
２０      記憶部
２１      通信部
２２      読出部
２３      検出部
２４      制御部
６１      入出力端子
６２      コントローラ
Ｍ      モニタ
Ｓ      サーバ
【手続補正３】
【補正対象書類名】図面
【補正対象項目名】図４
【補正方法】変更
【補正の内容】
【図４】
2007243879.tif 000030
【手続補正４】
【補正対象書類名】図面
【補正対象項目名】図５
【補正方法】変更
【補正の内容】
【図５】
2007243879.tif 000031
【手続補正５】
【補正対象書類名】図面
【補正対象項目名】図６
【補正方法】変更
【補正の内容】
【図６】
2007243879.tif 000032
【手続補正６】
【補正対象書類名】図面
【補正対象項目名】図７
【補正方法】変更
【補正の内容】
【図７】
2007243879.tif 000033
【手続補正７】
【補正対象書類名】図面
【補正対象項目名】図１５
【補正方法】変更
【補正の内容】
【図１５】
2007243879.tif 000034
【手続補正８】
【補正対象書類名】図面
【補正対象項目名】図２４
【補正方法】変更
【補正の内容】
【図２４】
2007243879.tif 000035